(57)【要約】【課題】基板ケースの組み立てを簡単にする。【解決手段】基板ケース３２は、カシメ手段として、ベース連結部９２に設けられ、カバー連結部９６側からのロック部材１００の挿入を許容する一方で、該ロック部材１００に形成されたロック係合部１２４に引っ掛かって該ロック部材１００の移動を規制するロック固定部９９と、カバー連結部９６に設けられ、ロック部材１００の挿入位置を越えた移動を規制するロック規制部１３３とを備える。このロック固定部９９を、ロック部材１００の挿入側開口部から挿入奥側に向かうにつれてベース挿通部９２の開口中心側に延出する傾斜状に形成して、カシメ手段は、両挿通部９３,９７に挿入されたロック部材１００により、両連結部９２,９６を分離不能に連結するよう構成する。【選択図】図５
2018057957.tif 000002
【特許請求の範囲】
【請求項１】
第１部材と第２部材とを組み合わせて箱状に構成され、基板を内部に収納する遊技機の基板ケースにおいて、
前記第１部材の外縁部に設けられ、少なくとも一方に開口する第１挿通部を内側に画成した第１連結部と、
前記第２部材の外縁部に設けられると共に両側に開口する第２挿通部を内側に画成し、前記第１部材と該第２部材とを組み合わせた際に前記第１連結部と重なる第２連結部と、
前記第１連結部に設けられた固定部と、
前記第１部材と前記第２部材とを組み合わせた際に連通する前記第１挿通部および前記第２挿通部に前記第２連結部側から挿入可能に形成されて当該第１挿通部および第２挿通部に跨るよう位置し、前記第１連結部側の固定部および前記第２連結部側の規制部に係止して両連結部を分離不能に連結するロック部材とを備え、
前記ロック部材には、前記第１挿通部および前記第２挿通部への挿入方向と交差する方向に開口する係合部が形成され、
前記固定部は、前記第１挿通部において前記ロック部材の挿入側開口部から挿入奥側に向かうにつれて当該第１挿通部の開口中心側に延出する傾斜状に形成されて、前記第２連結部側からのロック部材の第１挿通部への挿入を許容すると共に、
前記ロック部材を挿入位置に挿入した状態で、前記係合部の開口内側に前記固定部が位置し、当該係合部に固定部が引っ掛かることで該ロック部材の第２連結部側への移動を規制するよう構成された
ことを特徴とする遊技機の基板ケース。
【請求項２】
板状に形成された前記ロック部材の端部側から前記第２連結部の第２挿通部に挿通し得るよう構成すると共に、当該ロック部材の平板面に前記係合部が開口するよう構成した請求項１記載の遊技機の基板ケース。
【発明の詳細な説明】
【技術分野】
【０００１】
本発明は、第１部材と第２部材とを組み合わせて箱状に構成され、基板を内部に収納する遊技機の基板ケースに関するものである。
【背景技術】
【０００２】
パチンコ機やスロットマシンに代表される遊技機は、遊技の進行を制御するための種々の制御基板を備えている。制御基板には、遊技内容に関わるプログラムを記憶したＲＯＭが搭載されているため、不正なプログラムが記憶されたＲＯＭを搭載した不正な制御基板と交換されることを防ぐことが肝要である。このため、遊技機では、ベース部材とカバー部材とからなる基板ケースに制御基板を収納している(例えば、特許文献１参照)。
【０００３】
特許文献１の基板ケースでは、ベース部材とカバー部材とを係合手段を介して組み付けた後、ベース部材の側壁部分およびカバー部材の側壁部分に突出形成されたカシメ部を介して、締結方向へしか回転できないワンウェイネジ等の特殊な締結具によりベース部材とカバー部材とが分離不能に固定される。すなわち、このような構成の基板ケースでは、カシメ部を破断しない限り開封することができないから、不正な制御基板との交換を防止することができ、しかも破断時には痕跡が残るので、開封したことを認識できる。
【先行技術文献】
【特許文献】
【０００４】
【特許文献１】特開２００９−１４２５６７号公報
【発明の概要】
【発明が解決しようとする課題】
【０００５】
前記基板ケースは、ベース部材とカバー部材とを組み付けるために、ネジ回し工具を用いて、１つのカシメ部毎にワンウェイネジをねじ込む締結作業を行う必要があり、この締結作業に手間がかかってしまう。また、カシメ部からより取り外し難くするために特殊な締結具を用いると、締結作業に用いる工具も特殊なものになってしまう。
【０００６】
すなわち本発明は、従来の技術に内在する前記問題に鑑み、これらを好適に解決するべく提案されたものであって、不正開放を防止する構成を有していても、組み立て作業を簡単にできる遊技機の基板ケースを提供することを目的とする。
【課題を解決するための手段】
【０００７】
前記課題を克服し、所期の目的を達成するため、本願の請求項１に係る発明の遊技機の基板ケースは、
第１部材(62)と第２部材(64)とを組み合わせて箱状に構成され、基板(31)を内部に収納する遊技機の基板ケースにおいて、
前記第１部材(62)の外縁部に設けられ、少なくとも一方に開口する第１挿通部(93)を内側に画成した第１連結部(92)と、
前記第２部材(64)の外縁部に設けられると共に両側に開口する第２挿通部(97)を内側に画成し、前記第１部材(62)と該第２部材(64)とを組み合わせた際に前記第１連結部(92)と重なる第２連結部(96)と、
前記第１連結部(92)に設けられた固定部(99)と、
前記第１部材(62)と前記第２部材(64)とを組み合わせた際に連通する前記第１挿通部(93)および前記第２挿通部(97)に前記第２連結部(96)側から挿入可能に形成されて当該第１挿通部(93)および第２挿通部(97)に跨るよう位置し、前記第１連結部(92)側の固定部(99)および前記第２連結部(96)側の規制部(133)に係止して両連結部(93,97)を分離不能に連結するロック部材(100)とを備え、
前記ロック部材(100)には、前記第１挿通部(93)および前記第２挿通部(97)への挿入方向と交差する方向に開口する係合部(124)が形成され、
前記固定部(99)は、前記ロック部材(100)の挿入位置において当該ロック部材(100)を挟む両側に位置すると共に、前記第１挿通部(93)において前記ロック部材(100)の挿入側開口部から挿入奥側に向かうにつれて当該第１挿通部(93)の開口中心側に延出する傾斜状に形成されて、前記第２連結部(96)側からのロック部材(100)の第１挿通部(93)への挿入を許容すると共に、
前記ロック部材(100)を挿入位置に挿入した状態で、前記係合部(124)の開口内側に前記固定部(99)が位置することで、当該係合部(124)に固定部(99)が引っ掛かることで該ロック部材(100)の第２連結部(96)側への移動を規制するよう構成されたことを要旨とする。
この構成によれば、ロック部材を第２連結部側から両挿通部に挿入するだけで、第１連結部の固定部がロック部材の係合部に引っ掛かると共に第２連結部の規制部がロック部材の係止部に引っ掛かって、第１連結部および第２連結部がロック部材によって分離不能に保持される。このように、ロック部材による両連結部の連結作業に、工具を要さず、両挿通部に挿入するだけで極めて簡単に行うことができるから、手間を軽減し得る。すなわち、両連結部を分離不能に保持するロック部材による基板ケースの不正開放を防止する構成を有していても、基板ケースの組み立て作業を簡単にすることができる。
【０００８】
請求項２に係る発明は、
板状に形成された前記ロック部材(100)の端部側から前記第２連結部(96)の第２挿通部(97)に挿通し得るよう構成すると共に、当該ロック部材(100)の平板面に前記係合部(124)が開口するよう構成したことを要旨とする。
【発明の効果】
【０００９】
本発明に係る遊技機の基板ケースによれば、不正開放を防止する構成を有していても、組み立て作業を簡単にできる。
【図面の簡単な説明】
【００１０】
【図１】本発明の実施例に係るパチンコ機を示す正面図である。
【図２】実施例に係るパチンコ機を示す背面図である。
【図３】(ａ)は実施例の基板ケースを示す背面図であり、(ｂ)は(ａ)のＡ−Ａ線断面図である。
【図４】実施例の基板ケースを示す分解斜視図である。
【図５】(ａ)は図３(ａ)のＢ−Ｂ線断面図であり、(ｂ)は図３(ａ)のＣ−Ｃ線断面図である。
【図６】図３(ａ)のＥ−Ｅ線断面図である。
【図７】図３(ａ)のＤ−Ｄ線断面図である。
【図８】図３(ｂ)のＦ−Ｆ線断面図である。
【図９】(ａ)は実施例のベース部材を示す背面図であり、(ｂ)は(ａ)のベースカシメ構成部の拡大図である。
【図１０】(ａ)は実施例のカバー部材を示す正面図であり、(ｂ)は(ａ)のカバーカシメ構成部の拡大図である。
【図１１】実施例の固定部材を示し、(ａ)は斜視図であり、(ｂ)は背面図である。
【図１２】実施例の閉塞部材を示し、(ａ)は上側から見た斜視図であり、(ｂ)は下側から見た斜視図である。
【図１３】実施例の蓋部材を示し、(ａ)は上側から見た斜視図であり、(ｂ)は下側から見た斜視図である。
【図１４】(ａ)はベース貼着部へのシールカッターの取り付け状況を説明する斜視図であり、(ｂ)はベース貼着部およびカバー貼着部とシールカッターとの関係を説明する斜視図である。なお、封印シールを２点鎖線で示している。
【図１５】シールカッターの回動変位軌跡とシールカバーの回動変位軌跡との関係を示す説明図である。
【図１６】実施例のシールカッターを示し、(ａ)は後側から見た斜視図であり、(ｂ)は前側から見た斜視図である。
【図１７】実施例のシールカバーを示し、(ａ)は右側面図であり、(ｂ)は背面図である。
【発明を実施するための形態】
【００１１】
次に、本発明に係る遊技機につき、好適な実施例を挙げて、添付図面を参照して以下に説明する。なお、実施例では、遊技球としてパチンコ球を用いて遊技を行うパチンコ機Ｐを例に挙げて説明する。また、以下の説明において、「前」、「後」、「左」、「右」とは、図１に示すようにパチンコ機１０を前側(遊技者側)から見た状態で基本的に指称する。
【実施例】
【００１２】
(パチンコ機)
図１および図２に示すように、実施例に係るパチンコ機１０は、前後に開口する矩形枠状に形成されて遊技店の図示しない設置枠台に縦置き姿勢で設置される固定枠としての外枠１１の開口前面側に、遊技盤２０を着脱可能に保持する本体枠(本体部材)としての中枠１２がヒンジを介して開閉および着脱可能に組み付けられて、該遊技盤２０の裏側に配設された設置部材２２の裏側には、各種図柄を変動表示可能な図柄表示装置１７が着脱可能に配設されている。また、前記中枠１２の前面側には、前記遊技盤２０を透視保護するガラス板や透明な合成樹脂材により形成された板状の透視保護部材で前後に開口する窓口１３ａを覆うよう構成された装飾枠として前枠(前面部材)１３がヒンジを介して開閉可能に組み付けられている。そして、前枠１３の前面下部位置に、パチンコ球を貯留する上球受け皿１４および下球受け皿１５が上下に離間して設けられており、前枠１３と一体的に上下の球受け皿１４,１５を中枠１２に対して開閉可能に構成されている。なお、図柄表示装置１７としては、各種図柄を表示可能な液晶パネルを収容ケースに収容した液晶表示装置や、ドラム式の図柄表示装置、ドットマトリックス式の図柄表示装置等の各種図柄を停止および変動表示可能な従来公知の各種の図柄表示装置を採用し得る。
【００１３】
図１に示すように、前記パチンコ機１０の前面右下部には、中枠１２に配設された打球発射装置を作動させる操作ハンドル１６が設けられている。前記操作ハンドル１６は、左回転方向に付勢された操作レバーを備えており、該操作レバーを右回転するよう遊技者が回動操作することで打球発射装置が作動されて、前記上球受け皿１４に貯留されたパチンコ球が前記遊技盤２０の遊技領域２０ａに向けて１球ずつ発射されるようになっている。ここで、前記操作レバーの回動量に応じて前記打球発射装置によるパチンコ球の打球力が強弱変化するよう構成されており、遊技者が操作レバーの回動量を調節することで、前記遊技領域２０ａへのパチンコ球の発射位置(到達位置)を任意に変更し得るようになっている。なお、実施例では前枠１３の前面右下部に操作ハンドル１６を設けてあるが、中枠１２や球受け皿等に操作ハンドル１６を設けることも可能である。また、実施例では、上下の球受け皿を前枠１３に設けるよう構成したが、当該上下の球受け皿の一方または両方を前記中枠１２の前面に対して個別に開閉可能に組み付けるようにしてもよく、また球受け皿を１つだけ備える構成とすることも可能である。
【００１４】
前記前枠１３には、窓口１３ａの外周を囲繞するよう照明装置１８が配設されると共に、音声や効果音を出力可能なスピーカーユニット１９が配設されている。すなわち、照明装置１８に設けられたＬＥＤ等の発光体(図示せず)を点灯・点滅したり、スピーカーユニット１９から適宜の音声を出力することで、図柄表示装置１７での図柄変動表示に合わせて発光演出や音声演出を行い得るよう構成される。
【００１５】
(遊技盤)
前記遊技盤２０は、ベニヤ材や合成樹脂材により形成された略矩形状の板部材の前面(盤面)に、案内レール２４等の領域区画部が配設されており、該領域区画部により画成される略円形の遊技領域２０ａに、中枠１２に配設された打球発射装置から発射されたパチンコ球が打ち出されるようになっている。また、遊技盤２０には、前後に貫通する装着口が適宜位置に開設されており、各装着口に対して遊技盤設置部品が前側から取り付けられると共に、遊技領域２０ａの最下部位置には、該遊技領域２０ａに打ち出されたパチンコ球を排出するアウト口２１が開設されている。実施例の遊技盤２０には、遊技領域２０ａの略中央で開口する装着口に、前後に開口する表示開口部(開口部)２５ａが形成されたセンター役とも称される枠状装飾体２５が取り付けられ、該枠状装飾体２５の表示開口部２５ａを介して図柄表示装置１７の表示面が遊技盤２０の前面側に臨むよう構成されている。枠状装飾体２５は、遊技盤２０の盤面より前側に突出する庇状に形成されており、遊技領域２０ａに打ち出されたパチンコ球を該枠状装飾体２５の右側または左側に流下するように案内し得るようになっている。なお、遊技盤２０には、遊技領域２０ａ内に多数の遊技釘が設けられると共に、枠状装飾体２５の左側方に、遊技領域２０ａを流下するパチンコ球の接触に伴って回転する所謂「風車」とも称される回転案内部材が回転自在に支持されており、遊技領域２０ａを流下するパチンコ球が遊技釘や回転案内部材に接触することで、流下方向が不規則に変化するよう構成されている。
【００１６】
前記遊技盤２０には、前記遊技盤設置部品として、パチンコ球が入賞可能な各種の入球部(始動入賞部２６、特別入賞部２７、普通入賞部２８、ゲート部２９等)や、装飾部品等の各種の遊技盤設置部品が設けられており、遊技領域２０ａに打ち出されたパチンコ球が入賞部に入賞することで、遊技者に有利な大当り遊技等の特別遊技状態を生起させるか否かの当り判定や、所定数の賞球の払い出し等が行われることで、所期の遊技が行われるようになっている。具体的に、パチンコ球の入球(入賞)を契機として当り判定が行われる始動入賞部２６や、特別遊技状態の発生に伴ってパチンコ球が入球(入賞)可能となる特別入賞部２７や、始動入賞部として入賞口を開閉可能な可変始動入賞部を備える場合に、パチンコ球の入球を契機として入賞口を開放するか否かの開放判定が行われるゲート部２９が遊技盤２０に配設されている。また、遊技盤２０の裏側には、可動演出装置や発光演出装置等の各種の演出手段が配設された設置部材２２が備えられており、前記図柄表示装置１７の表示に合わせて演出手段が作動されるよう構成してある。
【００１７】
(パチンコ機の制御構成)
図２に示すように、パチンコ機１０の裏側略中央部には、当該パチンコ機１０を全体的に制御する主制御基板３１を備えた主制御装置３０が配設されている。遊技盤２０の後面に着脱可能に配設される図柄表示装置１７の後面には、遊技盤２０に設けられる可動演出装置や発光演出装置を制御したり、前枠１３に設けられる照明装置１８やスピーカーユニット１９などを制御する統括制御基板を備えた統括制御装置(図示せず)が配設されている。また、図柄表示装置１７の後面には、統括制御装置の横側に、図柄表示装置１７を制御する表示制御基板を備えた表示制御装置(図示せず)が配設されている。更に、中枠１２の下部に設けられた球通出案内部３４の後面には、パチンコ機１０の電源制御を行う電源基板４０を備えた電源装置３９や、打球発射装置(図示せず)を制御する発射制御基板４３を備えた発射制御装置４２や、中枠１２に設けられた球通路ユニット３６に配設した球払出装置３８を制御する払出制御基板４６を備えた払出制御装置４５や、外部端末に接続されるインターフェース基板４８などの各種基板が配設されている。なお、前記制御装置３０,３９,４２,４５は、制御基板３１,４０,４３,４６が透明な基板ケース３２,４１,４４,４７に収納され、この基板ケース３２,４１,４４,４７を介して外方から制御基板３１,４０,４３,４６を視認可能に構成される。
【００１８】
前記主制御基板３１では、遊技盤２０に備えた入賞部２６,２７,２８の球検出センサなどの各種検出センサ(検出手段)からの検出信号などに基づいて各種処理が実行され、その処理結果に応じた各種の制御信号(制御コマンド)が統括制御基板に出力されるようになっている。そして、統括制御基板は、主制御基板３１が出力した制御信号(制御コマンド)に基づいて、表示制御基板を制御すると共に、照明装置１８等の点灯・消灯のタイミングや発光強度等を制御し、スピーカーユニット１９からの音声出力のタイミングや大きさ等を制御するよう構成されており、パチンコ機１０で実行される各種遊技演出(図柄変動演出や発光演出、音声演出)を統括的にコントロールし得るようになっている。ここで、表示制御基板は、統括制御基板から出力された制御信号(制御コマンド)に基づいて、図柄表示装置１７に表示される図柄や背景画像等の図柄変動演出の表示内容を制御するよう構成される。発射制御基板４３は、操作ハンドル１６の回動操作により主制御基板３１から出力された制御信号に基づいて、打球発射装置から操作ハンドル１６の回動操作に応じた強さでパチンコ球を遊技盤２０の遊技領域２０ａに向けて発射するように制御する。また、払出制御基板４６は、球検出センサの検出信号や上球受け皿１４に設けられた貸し球ボタンの操作信号などにより主制御基板３１から出力された制御信号に基づいて、球払出装置３８で所定数のパチンコ球を払い出すように制御する。
【００１９】
(主制御装置について)
図３および図４に示すように、前記主制御装置３０は、パチンコ機１０の全体を制御する主制御基板(制御基板)３１を基板ケース３２に収納して構成される。主制御基板３１は、長方形の板状体であって、所要の回路パターンが形成されると共に、ＣＰＵやＲＯＭ等の電子部品６０および複数のソケット６１が後面(実装面)に設置されている。そして、ソケット６１には、各種装置や他の制御基板に接続する配線コネクタ(図示せず)が接続される。主制御基板３１は、前述したように、図柄表示装置１７による遊技の進行や、球送り装置が実施するパチンコ球の取り込みや、演出手段、照明装置１８等の発光および音声の制御を担う他の制御基板に対して信号を送るパチンコ機１０全体の制御を統括する重要な制御基板である。
【００２０】
(基板ケース)
図４に示すように、前記基板ケース３２は、設置部材２２側に配置されるベース部材(第１部材)６２と、このベース部材６２の後側に組み付けられるカバー部材(第２部材)６４とから基本的に構成されている。基板ケース３２は、ベース部材６２とカバー部材６４とを組み合わせることで箱状に構成され、ベース部材６２とカバー部材６４との間に画成される収納空間３２ａに、主制御基板３１が電子部品６０の実装面をカバー部材６４のカバー板状部７８に対向する姿勢(後向き姿勢)で収納される。基板ケース３２は、収納空間３２ａに収納する主制御基板３１の形状に合わせて長方形に形成され、長手を左右方向に延在させた姿勢で設置部材２２の下側中央部に着脱可能に取り付けられている。
【００２１】
前記基板ケース３２は、ベース部材６２とカバー部材６４とを着脱可能に組み付ける組み付け手段(後述)に加えて、ベース部材６２とカバー部材６４とを分離不能に連結するカシメ手段を備えている。カシメ手段によるベース部材６２とカバー部材６４との分離不能な連結とは、カシメ手段の構成部分を破壊する等、該カシメ手段に痕跡を残さないように、ベース部材６２とカバー部材６４とを分離することができないことをいう。すなわち、主制御装置３０は、カシメ手段によって基板ケース３２を封止した後に基板ケース３２を開封すると、カシメ手段に残った破断部分や欠損部分などの痕跡によって開封されたことが容易に判別できるようになっている。
【００２２】
(ベース部材)
図４および図９に示すように、前記ベース部材６２は、透明な合成樹脂成形品であって、前記主制御基板３１の一方の板面(実装面とは反対の裏面)に対向する長方形のベース板状部６６の上下および左の外周縁に、後側(カバー部材６４側)へ向けて上外壁部６７,下外壁部６８および左外壁部６９が立ち上がる略箱状に形成されている。また、ベース部材６２には、上外壁部６７および下外壁部６８の内側に所定間隔離間して、内壁部７０,７１がベース板状部６６に夫々立設されている。上外壁部６７の下側には、該上外壁部６７よりもベース板状部６６からの突出寸法が小さく設定された上内壁部７０が、該上外壁部６７と平行するように左右方向に延在形成されている。また、下外壁部６８の上側には、該下外壁部６８よりもベース板状部６６からの突出寸法が小さく設定された下内壁部７１が、該下外壁部６８と平行するように左右方向に延在形成されている。上下の内壁部７０,７１は、何れも左端部が左外壁部６９に連なっている。そして、ベース部材６２には、上側の内外の壁部６７,７０の間および下側の内外の壁部６８,７１の間に、前方に開放すると共に左右方向に延在するスライド溝７２,７２が夫々画成されている。ベース部材６２では、右側の外周縁が開放しており、上下のスライド溝７２,７２の右端は、何れも右方にも開放している。左外壁部６９は、上下の外壁部６７,６８よりもベース板状部６６からの突出寸法が小さく、かつ上下の内壁部７１,７２よりもベース板状部６６からの突出寸法が大きく設定されている。なお、ベース板状部６６には、上下の内壁部７０,７１および左外壁部６９の間に、縦横に延在する複数の補強リブ６６ａが格子状に形成されている。
【００２３】
図３(ｂ)および図９(ａ)に示すように、上下の前記スライド溝７２,７２には、ベース板状部６６から後方へ所定間隔離間する位置に、外壁部６７,６８および内壁部７０,７１との間に跨るように、複数のベース組付部７４が形成されている。複数のベース組付部７４は、スライド溝７２において互いに左右方向に間隔をあけて配置されており、実施例では、上下のスライド溝７２,７２の夫々に左右に離間して４箇所のベース組付部が設けられている。ベース部材６２において、上下のスライド溝７２,７２に設けられた複数のベース組付部７４は、上下対称な位置関係で配置されて、その形状も上下対称となっている。また、ベース板状部６６の右端部には、ベース突片７５が外方(右側方)に向けて延出して形成されている。なお、ベース突片７５は、ベース板状部６６の右端部の上下方向略中央部に設けられている。
【００２４】
(カバー部材)
図４および図１０に示すように、前記カバー部材６４は、透明な合成樹脂成形品であって、前記主制御基板３１の他方の板面(実装面)に対向する略長方形のカバー板状部７８の上下および左右の外周縁に、前側(ベース部材側)へ向けて上周壁部７９,下周壁部８０,左周壁部８１,右周壁部８２が立ち上がる箱状に形成されている。カバー部材６４は、ベース部材６２と組み合わせた際に、上下の周壁部７９,８０の前端部(延出端部)が、ベース部材６２における上下のスライド溝７２,７２に夫々収容されるように、上下寸法が設定されている。また、カバー部材６４は、ベース部材６２と組み合わせた際に、右周壁部８２の前端部(延出端部)がベース部材６２の右端縁に揃うと共に、下部を除く左周壁部８１の前端部がベース部材６２の左外壁部６９の内側に位置して該左外壁部６９の内面(右面)に当接するように、左右の寸法が設定されている。ここで、左周壁部８１の下部は、その前端面がベース部材６２の左外壁部６９の後端面に突き当てられる。カバー部材６４は、周壁部７９,８０,８１,８２に囲まれた内側に主制御基板３１を収納して、該カバー部材６４の内側四隅に設けられた基板取付部８３に、該主制御基板３１に挿通させたネジ等の締結具(図示せず)を締結することにより該主制御基板３１を保持し得るようになっている。すなわち、カバー部材６４は、主制御基板３１と一体的に取り扱い可能であって、カバー部材６４をベース部材６２に取り付ける際に、カバー部材６４のベース部材６２に対するスライド変位に伴って主制御基板３１もスライド変位される。カバー部材６４におけるカバー板状部７８の上部には、主制御基板３１のソケット６１に夫々対応してソケット開口７８ａが開設され、該ソケット開口７８ａを介して基板ケース３２の外側(後側)に臨むソケット６１に配線コネクタ(図示せず)が接続される。
【００２５】
図３(ｂ)に示すように、前記カバー部材６４には、上周壁部７９および下周壁部８０においてベース部材６２との組み付け時にスライド溝７２に挿入される前端部(延出端部)に、ベース部材６２のベース組付部７４に係脱可能に引っ掛かるカバー組付部８４が設けられている。上および下の周壁部７９,８０の前端部には、左右方向に離間してベース部材６２のベース組付部７４と同数のカバー凹状部８５が形成されると共に、各カバー凹状部８５における右縁の前端部に、左方に延出するように前記カバー組付部８４が鉤状に形成されている。カバー組付部８４の左方への延出寸法は、カバー凹状部８５の左右幅寸法より小さく設定されており、カバー組付部８４の延出端とカバー凹状部８５の左縁との間には、ベース組付部７４の通過を許容する隙間が前方に開放するよう形成されている。また、カバー部材６４において、上周壁部７９のカバー凹状部８５およびカバー組付部８４と、下周壁部８０のカバー凹状部８５およびカバー組付部８４とは、上下対称な位置関係で配置されて、その形状も上下対称となっている。実施例の基板ケース３２では、ベース部材６２に対してカバー部材６４の上下の周壁部７９,８０を、対応するスライド溝７２,７２に対して各カバー凹状部８５の隙間がベース組付部７４に対応する状態で収容した後に、該ベース部材６２に対してカバー部材６４を左方にスライドすることで、各ベース組付部７４の前側に対応するカバー組付部８４が夫々重なるように係止して、ベース部材６２にカバー部材６４が組み付けられる(図３(ｂ)参照)。
【００２６】
図１０(ａ)に示すように、前記カバー部材６４の右周壁部８２の前端部には、前記ベース部材６２のベース突片７５と対応する位置に、該ベース突片７５を挿脱可能なカバー嵌合部８６が形成されている。カバー嵌合部８６は、左右方向に貫通する通孔を有する筒状に形成されている。カバー部材６４のカバー組付部８４を、隣り合うベース組付部７４,７４の間から挿入して、カバー部材６４の上下の周壁部７９,８０の前端部をスライド溝７２,７２に収容した状態で、ベース突片７５とカバー嵌合部８６とが左右方向に整列し、該スライド溝７２に沿ってカバー部材６４を左方へスライド変位することで、ベース突片７５がカバー嵌合部８６に挿入される。
【００２７】
前記基板ケース３２は、ベース部材６２とカバー部材６４とを組み付けた際に、カバー部材６４の上下の周壁部７９,８０がスライド溝７２においてベース部材６２の内外の壁部６７,７０,６８,７１によって上下に移動規制されて、上下方向の位置決めがなされると共に、ベース組付部７４とカバー組付部との引っ掛かりにより前後に移動規制されて、前後の位置決めがなされるよう構成される。また、基板ケース３２は、ベース部材６２とカバー部材６４とを組み付けた際に、ベース部材６２のベース突片７５とカバー部材６４のカバー嵌合部８６との嵌合によっても、上下および前後に移動規制されて、上下方向および前後方向の位置決めがなされる。このように、基板ケース３２は、ベース部材６２およびカバー部材６４において収納空間３２ａを画成する本体部分が、ベース組付部およびカバー組付部の係合と、ベース突片７５およびベース嵌合部の嵌合とによる組付手段により組み付けられており、該組付手段は、ベース部材６２とカバー部材６４とを左右方向へ相対的にスライド変位しなければ、ベース部材６２とカバー部材６４とを分離できないように構成されている。
【００２８】
(カシメ手段)
図４〜図８に示すように、前記カシメ手段は、ベース部材６２の左外縁部に設けられて、ベース連結部(第１連結部)９２を有するベースカシメ構成部９０と、カバー部材６４の左外縁部に設けられて、カバー連結部(第２連結部)９６を有するカバーカシメ構成部９４とを有し、ベース部材６２とカバー部材６４とを組み付けた際に、ベースカシメ構成部９０のベース連結部９２とカバーカシメ構成部９４のカバー連結部９６とが前後に重なるよう構成されている。カシメ手段は、ベース連結部９２の内部に画成されるベース挿通部(第１挿通部)９３に配設された固定部材９８によって、カバー連結部９６の内部に画成されるカバー挿通部(第２挿通部)９７を介してベース挿通部９３に挿入されたロック部材１００を移動規制して、ベース部材６２側のベース連結部９２とカバー部材６４側のカバー連結部９６に跨って抜け止めされた状態で配置されるロック部材１００により、ベース部材６２とカバー部材６４との左右方向への相対的なスライド変位および前後方向への分離を規制するよう構成されている。図４の符号１０２は、ベース連結部９２に画成されたベース挿通部９３におけるロック部材１００が挿入される側(ベース挿通部９３の後方開口)と反対側(ベース挿通部９３の前方開口)を塞ぐ閉塞部材(閉塞部)である。また、図４の符号１０４は、カバー連結部９６に画成されたカバー挿通部９７におけるロック部材１００が挿入される側(後方開口)に嵌め込んで、ベース挿通部９３およびカバー挿通部９７に配設されたロック部材１００を覆うように該カバー挿通部９７の後方開口を塞ぐ蓋部材である。
【００２９】
(ベースカシメ構成部)
図９に示すように、前記ベースカシメ構成部９０は、ベース部材６２における左外壁部６９の上部左側に設けられている。ベースカシメ構成部９０は、上外壁部６７の左側に連ねて左方に延在する上ベース壁１０６と、この上ベース壁１０６の下側に該上ベース壁１０６と平行するように設けられ、右端が左外壁部６９に連なる下ベース壁１０７と、上ベース壁１０６および下ベース壁１０７の左端に連なり、左外壁部６９と平行するように設けられた左ベース壁１０８とからなり、前後に開放した角筒状に形成されている。下ベース壁１０７は、左外壁部６９と前後寸法が同じに設定されると共に、その後端面が左外壁部６９の後端面と揃うように形成されている(図４参照)。上ベース壁１０６および左ベース壁１０８は、上外壁部６７よりも前後寸法が大きく設定されて、その前端面がベース板状部６６の前面に揃うと共に、後端面が上外壁部６７の後端面よりも後方に延出するように形成されている(図４参照)。また、左ベース壁１０８には、左右方向に貫通するカシメ開口部１０９が、ベース連結部９２の後端面よりも後側に位置するように形成されている(図４および図５参照)。
【００３０】
(ベース連結部)
図９に示すように、前記ベースカシメ構成部９０の内側には、複数のベース連結部９２が左右に並べて設けられている。ベース連結部９２は、前後に開放するベース挿通部９３を内側に画成した角筒状体であり、上下方向に長手辺が延在している。ベース連結部９２は、その前端面がベース壁１０６,１０７,１０８の前端面に揃えられ、後端面が下ベース壁１０７の後端面より後方へ突出すると共に上および左ベース壁１０６,１０８の後端面よりも前方に位置するように形成されている(図４および図１４(ａ)参照)。ベース連結部９２は、ベース壁１０６,１０７,１０８または左外壁部６９から延出するベース連結支持片１１０によって、ベース壁１０６,１０７,１０８および左外壁部６９から間隔をあけて配置されている(図９(ｂ)参照)。実施例のベースカシメ構成部９０には、２つのベース連結部９２,９２が左右に並んでおり、右側のベース連結部９２は、左外壁部６９から上下に離間して右方に延びる一対のベース連結支持片１１０,１１０で右側が支持され、上ベース壁１０６から下方へ延びる１条のベース連結支持片１１０で上側が支持され、下ベース壁１０７から上方へ延びる１条のベース連結支持片１１０で下側が支持されている。左側のベース連結部９２は、左ベース壁１０８から上下に離間して左方に延びる一対のベース連結支持片１１０,１１０で左側が支持され、上ベース壁１０６から下方へ延びる１条のベース連結支持片１１０で上側が支持され、下ベース壁１０７から上方へ延びる１条のベース連結支持片１１０で下側が支持されて、右側のベース連結部９２と独立している。ベース連結支持片１１０は、左外壁部６９およびベース壁１０６,１０７,１０８の前端部からベース連結部９２の前端部の間に架設されている。
【００３１】
実施例の基板ケース３２では、右側のベース連結部９２が通常用いられており、左側のベース連結部９２は、主制御基板３１のメンテナンスなどの適正な理由によってカシメ手段を破壊した際にベース部材６２とカバー部材６４とを再びかしめるときに用いられる予備である。なお、カシメ手段を破壊する際には、ベース連結支持片１１０をニッパー等の切断工具で破壊することで、ベースカシメ構成部９０からベース連結部９２が分離可能になる。なお、左右のベース連結部９２,９２は、その構成が同じであるので、右側のベース連結部９２を例示して以下に説明する。
【００３２】
(ベース連結部の内部構造)
図５,図６および図９(ｂ)に示すように、前記ベース連結部９２の前端部側には、該ベース連結部９２の筒状部分を構成する上側の筒壁および下側の筒壁より夫々離れると共に互いに上下に離間する一対の架設片１１２が、ベース挿通部９３を区切るように左右に架け渡して形成されている。前記上側の筒壁と上側の架設片１１２との間には、上下に開口する閉塞爪挿通口１１３が画成されると共に、前記下側の筒壁と下側の架設片１１２との間には、上下に開口する閉塞爪挿通口１１３が画成されている(図９(ｂ)参照)。上下の架設片１１２,１１２の間には、上下に延在するように部材固定片１１４が架設されており、該部材固定片１１４と、ベース連結部９２の筒状部分を構成する左側の筒壁および右側の筒壁との間に、部材挿通口１１５があくようにベース挿通部９３を部材固定片１１４により左右に区切っている。また、各架設片１１２の後側には、前記右側の筒壁および左側の筒壁からベース挿通部９３内に突出する一対のベースロック保持片１１６,１１６が対向して形成され、該ベースロック保持片１１６,１１６が架設片１１２の後面からベース挿通部９３の後方開口までに亘って前後に延在している。左右に対向配置した一対のベースロック保持片１１６,１１６のうちの一方(左側)の延出端面は、前後方向に直線的に形成され、これに対して他方(右側)のベースロック保持片１１６の延出端面は、その前端部が前後方向に直線的に延在した後に前側から後側に向かうにつれて一方のベースロック保持片１１６から離れるように傾斜形成されている(図５(ｂ))参照)。左右一対のベースロック保持片１１６,１１６は、互いに平行する部分の左右間隔が、ロック部材１００の板厚と略同じに設定されている。左右一対のベースロック保持片１１６,１１６は、後方開口からベース挿通部９３へロック部材１００を挿入する際に、一対のベースロック保持片１１６,１１６が後方開口側が開いているので該ロック部材１００を挿入し易くなっている。そして、一対のベースロック保持片１１６,１１６は、前後方向に延在する平行な延出端面によって、ベース挿通部９３に挿入されたロック部材１００を左右から挟んで左右の移動を規制するよう構成されている。
【００３３】
前記ベース連結部９２には、前記右側の筒壁および左側の筒壁からベース挿通部９３内に突出する左右一対の縦支持片１１７,１１７が対向して形成されている。左右一対の縦支持片１１７,１１７は、上下のベースロック保持片１１６,１１６の間に位置して、上下に離間して２組設けられ、筒壁からの突出寸法がベースロック保持片１１６よりも小さく設定されて、部材挿通口１１５の開口縁に延出端が揃っている(図９(ｂ)参照)。ベース連結部９２には、前記上側の筒壁および下側の筒壁の夫々に、後方に指向する段状に形成された爪掛け部１１８が、架設片１１２よりも後側に設けられている(図５(ａ)および図９(ｂ)参照)。爪掛け部１１８は、ベース挿通部９３において上側および下側に偏倚した位置に前後に開口する前記閉塞爪挿通口１１３の後側に延長したライン上に、上または下の筒壁を凹ませて形成されている。
【００３４】
(固定部材)
図１１に示すように、前記固定部材９８は、略コ字状に折曲形成されて、弾性変形可能な金属板材によって構成されている。固定部材９８は、略矩形状の第１固定片部９８ａと、この第１固定片部９８ａの長手辺の夫々に立設されて、左右に対向する一対の第２固定片部９８ｂ,９８ｂと、各第２固定片部９８ｂに設けられ、対向する第２固定片部９８ｂに向けて延出するロック固定部９９とを備えている。実施例のロック固定部９９は、第２固定片部９８ｂを該第２固定片部９８ｂの開放端側を繋げた略コ字状に切断した切断片を、対向する第２固定片部９８ｂ側へ折り曲げて形成している。ロック固定部９９は、後側(ロック部材１００のベース挿通部９３への挿入側)から前側に向かうにつれてベース挿通部９３の開口中心側に延出するように傾斜しており(図５(ａ)参照)、第２固定片部９８ｂへの接続部位を支点として左右方向に弾性変形可能になっている。ここで、ロック固定部９９は、第２固定片部９８ｂへの接続部位側から押された際に該第２固定片部９８ｂに沿うように弾性変形するが、該ロック固定部９９の開放端(延出端)側から押された際に第２固定片部９８ｂとの間で突っ張って弾性変形が実質的に不能になるよう構成されている。なお、「実質的に不能(できない)」とは、その部材または部位を破壊しなければ(そのままの状態では)、変形や分離等ができないことをいう。
【００３５】
(固定部材の取り付け)
図５(ａ)に示すように、前記固定部材９８は、ベース連結部９２におけるベース挿通部９３の前方開口から左右の第２固定片部９８ｂ,９８ｂを左右の前記部材挿通口１１５,１１５に通して、左右の第２固定片部９８ｂ,９８ｂを架設片１１２より後側に延出させると共に左右の筒壁の縦支持片１１７に沿わせて配設されている。すなわち、固定部材９８は、左右の第２固定片部９８ｂ,９８ｂが縦支持片１１７に支持されて互いに離れる方向への変形が規制されている。また、固定部材９８は、第１固定片部９８ａが部材固定片１１４の前面に当接して、該部材固定片１１４によって後方への移動が規制されると共に、上下の架設片１１２,１１２の間に第２固定片部９８ｂが位置して、両架設片１１２,１１２によって第２固定片部９８ｂの上下の移動が規制される。そして、固定部材９８は、左右のロック固定部９９,９９がベース挿通部９３の後方開口側から前方に向かうにつれて該ベース挿通部９３の内方(左右方向中央)に延出するように傾斜配置されている。このように、ロック固定部９９は、ベース連結部９２にベース挿通部９３内に延出するように設けられ、カバー連結部９６側(後方)からのロック部材１００のベース挿通部９３への挿入(ロック部材１００の後から前への移動)を許容する一方で、該ロック部材１００に形成されたロック係合部(係合部)１２４に引っ掛かることで該ロック部材１００のカバー連結部９６側(後方)への移動(ロック部材１００の前から後への移動)を規制するよう構成されている。
【００３６】
(閉塞部材)
図１２に示すように、前記閉塞部材１０２は、板状の閉塞本体１２０と、この閉塞本体１２０の上下の縁に立設された２本の閉塞爪部１２１,１２１とからなる閉塞組を、複数のベース連結部９２に合わせて複数組有し、実施例では、閉塞本体１２０の間を接続片１２２で繋いだ２組の閉塞組で構成されている。閉塞部材１０２は、閉塞本体１２０の外形がベース挿通部９３の前方開口に合わせて形成され、閉塞本体１２０の後面に、ベース連結部９２の部材固定片１１４より前方へ突出する架設片１１２に合わせて受け凹部１２０ａが形成されている。閉塞爪部１２１は、閉塞本体１２０から後方へ延出して、その延出端部(後端部)に互いに相反する外方に突出する爪を有する鉤状に形成されている。また、閉塞爪部１２１は、閉塞本体１２０から延びる柱部分が上下方向に弾性変形可能に構成されている。
【００３７】
図６に示すように、前記閉塞部材１０２は、ベース連結部９２におけるベース挿通部９３の前方開口から上下の閉塞爪部１２１,１２１を上下の前記閉塞爪挿通口１１３,１１３に夫々通して、上下の閉塞爪部１２１,１２１を架設片１１２より後側に延出させると共に上下の筒壁に夫々形成された爪掛け部１１８の後側に、対応の閉塞爪部１２１を引っ掛ける。これにより、閉塞部材１０２は、閉塞本体１２０でベース挿通部９３の前方開口を塞いだ状態でベース連結部９２に取り付けられ、爪掛け部１１８と閉塞爪部１２１との引っ掛かりにより抜け止めされている。また、閉塞部材１０２は、閉塞本体１２０の受け凹部１２０ａに架設片１１２の前端部を受け入れると共に、閉塞本体１２０と部材固定片１１４との間に前記固定部材９８の第１固定片部９８ａを挟むようになっている(図５(ａ)参照)。ここで、閉塞部材１０２は、ベース連結部９２に取り付けることで、ベース連結部９２の内部に閉塞爪部１２１が収容されて外部からアクセスできないようになっている。すなわち、閉塞部材１０２は、ベース連結部９２から取り外しが実質的にできない所謂嵌め殺し構造であり、固定部材９８をベース連結部９２に配設した後に閉塞部材１０２を取り付けると、固定部材９８についてもベース連結部９２から取り外しできないようにし得る。なお、ベース連結部９２の前端には、閉塞本体１２０の上下に離間する３本の接続リブ１２２に対応して切り欠きが形成されている。また、カシメ手段を破壊する際には、接続１２２片をニッパー等の切断工具で破壊することで、予備のベース連結部９２から使用しているベース連結部９２が分離可能になる。
【００３８】
(ロック部材)
図４および図６に示すように、前記ロック部材１００は、実質的に変形しない剛性を有する板状体であり、実施例では略矩形状の金属板材を用いている。ロック部材１００は、板厚方向(左右方向)に貫通形成された開口状のロック係合部(係合部)１２４と、後端部(一端部)に上下(外方)に延出するように形成された一対のロック係止部(係止部)１２５,１２５とを備えている。ロック部材１００には、ロック係合部１２４が、前後方向で前側に偏倚した位置で、上下方向中央部に設けられ、前記ロック固定部の前後寸法および上下寸法よりも大きく開口するように形成されている。ロック部材１００は、ベース部材６２とカバー部材６４とを組み合わせた際に連通するベース挿通部９３およびカバー挿通部９７に、カバー連結部９６側(後方)から挿入される。そして、ロック部材１００は、カバー連結部９６におけるカバー挿通部９７の後方開口から挿入した際に、該カバー挿通部９７からベース連結部９２のベース挿通部９３までに跨って延在する前後寸法に設定されており、ロック係合部１２４がベース挿通部９３内に位置すると共に、ロック係止部１２５がカバー挿通部９７に位置するよう構成される。
【００３９】
(カバーカシメ構成部)
図４および図１０に示すように、前記カバーカシメ構成部９４は、カバー部材６４における左周壁部８１の上部左側に設けられている。カバーカシメ構成部９４は、上周壁部７９の左側に連ねて左方に延在する上カバー壁１２６と、この上カバー壁１２６の下側に該上カバー壁１２６と平行するように設けられ、右端が左周壁部８１に連なる下カバー壁１２７と、上カバー壁１２６および下カバー壁１２７の左端に連なり、左周壁部８１と平行するように設けられた左カバー壁１２８とからなり、前後に開放した角筒状に形成されている。カバーカシメ構成部９４は、ベース部材６２のベース板状部６６との離間距離が下部と比べて近くなるよう設定されたカバー板状部７８の上部よりも後方へ全体として延出するように形成されている。また、カバーカシメ構成部９４は、三方のカバー壁１２６,１２７,１２８の後端面が揃えられると共に、左カバー壁１２８の前端面が上下のカバー壁１２６,１２７の前端面よりも後方に位置するよう形成されている。更に、左カバー壁１２８の前端には、左方に延出するカシメ突片１２９が設けられている。
【００４０】
前記ベース部材６２と前記カバー部材６４とを組み付けた際に、ベースカシメ構成部９０とカバーカシメ構成部９４とは、下ベース壁１０７の後端面と下カバー壁１２７の後端面が当接または略隙間なく対向するように構成されている。また、上ベース壁１０６が、上カバー壁１２６の上側に重なるように延在し、左ベース壁１０８が、左カバー壁１２８の左側に重なるように延在し、上ベース壁１０６および左ベース壁１０８によって上カバー壁１２６および左カバー壁１２８の外側を囲うようになっている。更に、左カバー壁１２８に突出形成されたカシメ突片１２９が、左ベース壁１０８に開設されたカシメ開口部１０９に挿通される。このように、カシメ手段は、ベースカシメ構成部９０の上ベース壁１０６および左ベース壁１０８がカバーカシメ構成部９４の上カバー壁１２６および左カバー壁１２８の外側に重なる構成として、ベース部材６２とカバー部材６４とを位置決めすることで、ベースカシメ構成部９０に設けられたベース連結部９２のベース挿通部９３と、カバーカシメ構成部９４に設けられたカバー連結部９６のカバー挿通部９７とを前後に整合させるように位置合わせしている。
【００４１】
(カバー連結部)
図４,図５および図１０に示すように、前記カバーカシメ構成部９４の内側には、ベース連結部９２と同数のカバー連結部９６が、複数のベース連結部９２と同様に左右に並べて設けられ、ベース部材６２とカバー部材６４とを組み付けた際に、対応する側のベース連結部９２の後側に重なるように配置されている。カバー連結部９６は、前後に開放するカバー挿通部９７を内側に画成した角筒状体であり、上下方向に長手辺が延在している。カバー連結部９６は、その後端面がカバー壁１２６,１２７,１２８の後端面に揃えられ、前端面が上下のカバー壁１２６,１２７の前端面よりも後方に位置するように形成され、ベース部材６２とカバー部材６４とを組み付けた際に、ベース連結部９２の後端面とカバー連結部９６の前端面とが当接またはほぼ隙間なく対向して、ベース挿通部９３とカバー挿通部９７とが前後に連通するように構成されている(図５参照)。カバー連結部９６は、カバー壁１２６,１２７,１２８または左周壁部８１から延出するカバー連結支持片１３０によって、カバー壁１２６,１２７,１２８および左周壁部８１から間隔をあけて配置されている(図１０(ｂ)参照)。実施例のカバーカシメ構成部９４には、２つのカバー連結部９６,９６が左右に並んでおり、右側のカバー連結部９６Ａ(９６)は、左周壁部８１から上下に離間して左方に延びる一対のカバー連結支持片１３０,１３０で右側が支持され、上カバー壁１２６から下方へ延びる１条のカバー連結支持片１３０で上側が支持され、下カバー壁１２７から上方へ延びる１条のカバー連結支持片１３０で下側が支持されている。左側のカバー連結部９６Ｂ(９６)は、左カバー壁１２８から上下に離間して左方に延びる一対のカバー連結支持片１３０,１３０で左側が支持され、上カバー壁１２６から下方へ延びる１条のカバー連結支持片１３０で上側が支持され、下カバー壁１２７から上方へ延びる１条のカバー連結支持片１３０で下側が支持されて、右側のカバー連結部９６と独立している。カバー連結支持片１３０は、左周壁部８１およびカバー壁１２６,１２７,１２８の後端部からカバー連結部９６の後端部の間に架設されている。
【００４２】
実施例の基板ケース３２では、右側のカバー連結部９６Ａが通常用いられており、左側のカバー連結部９６Ｂは、主制御基板３１のメンテナンスなどの適正な理由によってカシメ手段を破壊した際にベース部材６２とカバー部材６４とを再びかしめるときに用いられる予備である。カシメ手段を破壊する際には、カバー連結支持片１３０をニッパー等の切断工具で破壊することで、カバーカシメ構成部９４からカバー連結部９６が分離可能になる。左右のカバー連結部９６Ａ,９６Ｂは、蓋部材１０４の取り付けに関する構成を除いて構成が同じであるので、右側のベース連結部９６Ａを例示して共通する構成について説明する。なお、特に区別しない場合は、符号に「Ａ」および「Ｂ」を付さずにカバー連結部９６という。
【００４３】
(ロック規制片)
図６および図１０(ｂ)に示すように、右側の前記カバー連結部９６Ａには、該カバー連結部９６の筒状部分を構成する上下の筒壁の夫々からカバー挿通部９７の中央側(開口内側)に延出する受け片１３２の左右方向中央部を後方に開放するように凹ませて、ロック部材１００のロック係止部１２５を係止するロック規制部(規制部)１３３が設けられている。なお、左側のカバー連結部９６Ｂでは、受け片そのものがロック規制部１３３として用いられている。このように、カバー連結部９６には、カバー挿通部９７の開口内側に延出する一対のロック規制部１３３,１３３が上下に対向するように設けられている。ロック規制部１３３は、カバー挿通部９７において後方開口側に偏倚した位置に設けられ、ロック部材１００がカバー挿通部９７からベース挿通部９３に跨って配置されて前記ロック固定部９９にロック係合部１２４が引っ掛かる挿入位置において、該ロック部材１００に形成されたロック係止部１２５を係止して、該挿入位置を越えたベース連結部９６側(前方)への該ロック部材１００の移動を規制するよう構成されている。ロック規制部１３３は、前記挿入位置でロック部材１００を移動規制した際に、該ロック部材１００の後端をカバー連結部９６の後端より前側に位置させて、ロック部材１００が挿通部９３,９７に収容されるように設定されている。
【００４４】
(カバーロック保持片)
図５および図１０(ｂ)に示すように、前記カバー連結部９６には、筒状部分を構成する左右の筒壁の夫々からカバー挿通部９７の中央側(開口内側)に延出する上下片部１３４ａと、左右の筒壁の夫々からカバー挿通部９７の中央側(開口内側)に延出し、該上下片部１３４ａの前側に連ねて前後方向に延在する前後片部１３４ｂとからなるカバーロック保持片１３４が設けられている。カバーロック保持片１３４は、上下片部１３４ａが前記受け片１３２と前後位置が略同じ位置に配置されている。また、右側のカバー連結部９６Ａにおいて、上下片部１３４ａの上縁および下縁と受け片１３２とが離間して、上下片部１３４ａと受け片１３２との間に、蓋部材１０４の蓋爪部１３９または蓋脚部１４０を挿通し得る蓋挿通口１３５を画成している(図１０(ｂ)参照)。左右の筒壁に形成された一対のカバーロック保持片１３４のうちの一方は、上下片部１３４ａの上縁および下縁に連なるように２条の前後片部１３４ｂ,１３４ｂを有し、左右の筒壁に形成された一対のカバーロック保持片１３４のうちの他方は、上下片部１３４ａの上下方向中央部に連なるように１条の前後片部１３４ｂを有している。そして、左右の筒壁に形成された一対のカバーロック保持片１３４は、その左右方向の間隔が前記ロック部材１００の板厚と略同じに設定されている。
【００４５】
(蓋掛止部)
図５(ｂ)および図１０(ｂ)に示すように、右側の前記カバー連結部９６Ａには、左右の筒壁の夫々に、前方に指向する段状に形成された蓋掛止部(掛止部)１３６が、ロック規制部１３３よりも前側に設けられている。蓋掛止部１３６は、カバー挿通部９７において上側および下側に偏倚した位置に前後に開口する前記蓋挿通口１３５の前側に延長したライン上に、左または右の筒壁を凹ませて形成されている。ここで、実施例のカバー連結部９６Ａでは、蓋掛止部１３６が左右の筒壁に対向配置されるのではなく、上左側の蓋挿通口１３５に対応して左側の筒壁に蓋掛止部１３６が設けられる一方で、上右側の蓋挿通口１３５に対応して右側の筒壁に蓋掛止部１３６が設けられていない(図１０(ｂ)参照)。同様に、右側のカバー連結部９６Ａには、下右側の蓋挿通口１３５に対応して右側の筒壁に蓋掛止部１３６が設けられる一方で、下左側の蓋挿通口１３５に対応して左側の筒壁に蓋掛止部１３６が設けられていない。このように、右側のカバー連結部９６Ａには、２つの蓋掛止部１３６,１３６が左右の筒壁において上下に互い違いに配置されている。
【００４６】
(蓋部材)
図１３に示すように、前記蓋部材１０４は、右側のカバー挿通部９７の後方開口の形状に合わせた外形で形成された蓋本体１３８と、この蓋本体１３８の外縁から延出するよう形成され、カバー挿通部９７を画成する壁面に形成された前記蓋掛止部１３６に引っ掛かって、該蓋部材１０４のカバー挿通部９７から抜ける方向(後方)の移動を規制する蓋爪部(爪部)１３９とを備えている。また、蓋部材１０４は、蓋本体１３８の外縁から延出するよう形成され、カバー挿通部９７を画成する壁面に沿って該カバー挿通部９７に挿入される蓋脚部１４０を備えている。蓋部材１０４は、上下に長手が延在する開口形状に合わせて蓋本体１３８が略長方形状に形成され、この蓋本体１３８の左右の縁部の夫々に、上下に離間して蓋爪部１３９および蓋脚部１４０が前方へ延出するように設けられている。ここで、蓋本体１３８の左縁には、蓋爪部１３９が上部に配置されると共に蓋脚部１４０が下部に配置され、これに対して、蓋本体１３８の右縁上部には、蓋脚部１４０が左縁の蓋爪部１３９に左右に対向するように配置されると共に、蓋本体１３８の右縁下部には、蓋爪部１３９が左縁の蓋脚部１４０に左右に対向するように配置されている。このように、蓋部材１０４には、２つの蓋爪部１３９,１３９および２つの蓋脚部１４０,１４０が蓋本体１３８の左右の縁に、上下に互い違いに配置されている。なお、蓋部材１０４は、蓋本体１３８、蓋爪部１３９および蓋脚部１４０が上下反転した際に同じ位置関係になる対称形状に形成されている。
【００４７】
前記蓋爪部１３９は、蓋本体１３８から前方へ延出して、その延出端部(前端部)に互いに相反する外方(左または右方)に突出する爪片１３９ａを有する鉤状に形成されている(図５(ｂ)および図１３(ｂ)参照)。また、蓋爪部１３９は、蓋本体から延びる柱部分が左右方向に弾性変形可能に構成されている。一方、蓋脚部１４０は、蓋本体１３８から前方へ延出する柱状であり、蓋爪部１３９のように延出端部に爪片１３９ａを有していない直線的な形状で形成されている。そして、蓋部材１０４は、右側のカバー連結部９６Ａにおけるカバー挿通部９７の後方開口から蓋爪部１３９および蓋脚部１４０を前記蓋挿通口１３５に夫々通して、蓋爪部１３９および蓋脚部１４０をロック規制部１３３より前側に延出させると共に左右の筒壁に夫々形成された蓋掛止部１３６の前側に、対応の蓋爪部１３９を引っ掛けている。これにより、蓋部材１０４は、蓋本体１３８でカバー挿通部９７の後開口を塞いだ状態で右側のカバー連結部９６Ａに取り付けられ、蓋掛止部１３６と蓋爪部１３９との引っ掛かりにより抜け止めされている。ここで、蓋部材１０４は、右側のカバー連結部９６Ａに取り付けることで、該カバー連結部９６Ａの内部に蓋爪部１３９が収容されて外部からアクセスできないようになっている。すなわち、蓋部材１０４は、右側のカバー連結部９６Ａから取り外しが実質的にできない所謂嵌め殺し構造であり、ロック部材１００をカバー挿通部９７およびベース挿通部９３に配設した後に蓋部材１０４を取り付けると、ロック部材１００に対する外方からのアクセスを阻むことができる。
【００４８】
(左右のカバー連結部の違いについて)
左右のカバー連結部９６Ａ,９６Ｂは、ロック部材１００を支持するためのロック規制部１３３およびカバーロック保持片１３４の構成は同じである。これに対して、左側に位置する予備のカバー連結部９６Ｂは、カバー挿通部９７を画成する筒状部分が、右側に位置する主として使用されるカバー連結部９６Ａよりも左右幅が小さくなるように設定されており、前記蓋部材１０４が後方開口に嵌らないようになっている。そして、左側のカバー連結部９６Ｂは、蓋部材１０４が取り付けられないので、蓋部材１０４の取り付けに関する蓋掛止部１３６および蓋挿通口１３５などの構成を有していない。このように、左右のカバー連結部９６Ａ,９６Ｂについて、異なる部分を設けることで、ロック部材１００をカバー挿通部の後方開口から挿入してカシメ手段を構成する際に、複数組の連結部９２,９６Ａ,９２,９６Ｂのうちの何れを用いたらよいのか判り易くすることができる。また、主制御基板３１のメンテナンスなどの適正な理由やその他によって右側の連結部９２,９６Ａの組が破壊された際に、左側の連結部９２,９６Ｂの組には蓋部材１０４が取り付けられていないことから、カシメ手段の状況を見た目で判り易くすることができる。
【００４９】
前記カシメ手段は、ベース部材６２とカバー部材６４とを組み合わせた際に連通するベース挿通部９３およびカバー挿通部９７に、カバー連結部９６側から挿入されて該カバー連結部９６のロック規制部１３３とロック係止部１２５との係合により挿入位置で移動規制されたロック部材１００が、該ロック部材１００のロック係合部１２４と固定部材９８のロック固定部９９との引っ掛かりにより抜け止め保持されるようになっている(図５参照)。換言すると、カシメ手段は、ベース挿通部９３およびカバー挿通部９７に跨って配設されたロック部材１００が、ベース連結部９２に配設された固定部材９８のロック固定部９９およびカバー連結部９６に設けられたロック規制部１３３の間を繋げ、ベース連結部９２とカバー連結部９６とを前後方向へ分離不能に連結するよう構成される。また、カシメ手段は、ベース挿通部９３およびカバー挿通部９７に跨って配設されたロック部材１００が、ベース部材６２とカバー部材６４との左右方向への相対的なスライド変位を阻むように両連結部９２,９６に引っ掛かり、前述の如くベース部材６２とカバー部材６４とを左右方向へ相対的なスライド変位させなければ行うことができないベース部材６２とカバー部材６４との分離を不可能にしている。
【００５０】
(封印シールの貼付部の不正防止構造について)
図４,図６および図７に示すように、前記基板ケース３２は、ベース部材(第１部材)６２の左縁部(外縁部)に設けられたベース貼着部(第１貼着部)１４２と、カバー部材(第２部材)６４の左縁部(外縁部)に設けられ、ベース部材６２とカバー部材６４とを組み合わせた際に前記ベース貼着部１４２と前後に重なるカバー貼着部(第２貼着部)１４４と、ベース貼着部およびカバー貼着部に跨るように貼り付けられる封印シールＳを覆うように、ベース貼着部１４２およびカバー貼着部１４４を囲って取り付けられるシールカバー１４６とを備えている。また、基板ケース３２は、ベース貼着部１４２およびカバー貼着部１４４に変位可能に接続され、両貼着部１４２,１４４の間に収容されて刃先が封印シールＳから退避した退避状態(図８および図１４参照)と、両貼着部１４２,１４４の間から外方に突出する移動状態(図１５の二点鎖線参照)との間で、刃先が該封印シールＳと交差するように変位するシールカッター１４８を備えている。前記シールカッター１４８は、シールカバー１４６を両貼着部１４２,１４４から取り外す動きに連動して、前記退避状態から移動状態に変位するよう構成され、退避状態から移動状態に移動することで両貼着部１４２,１４２に貼り付けられた封印シールＳを切断するようになっている。
【００５１】
(封印シール)
前記封印シールＳは、記号や二次元コードを付与したり、管理用コード等が記憶されたＩＣタグを設けられたり、所定の情報が付与されたシート状物であり、接着剤や粘着剤等によってベース貼着部１４２の前面およびカバー貼着部１４４の後面に跨るように貼り付けられている。封印シールＳは、この封印シールＳの存在(状態)および／または該封印シールＳに付与された情報によって、基板ケース３２に封入された主制御基板３１(主制御装置３０)が正規品であるか否かを証明するものの１つである。実施例の基板ケース３２は、シールカバー１４６の取り外しに伴い作動するシールカッター１４８により封印シールＳを切断することで、封印シールＳに残る切断痕によって不正行為を判別し得るようになっている。
【００５２】
(ベース貼着部)
図４および図９(ａ)に示すように、前記ベース貼着部１４２は、ベース部材６２の左外壁部６９から左方へ延出するように形成された板状部分を有し、この板状部分の上下および左の周縁に壁が後方に向けて立ち上がるよう形成された後方に開放した略トレイ形状になっている。ベース貼着部１４２は、ベースカシメ構成部９０の下側に設けられ、該ベースカシメ構成部９０の下ベース壁１０７の下側に離間配置されている。ベース貼着部１４２には、板状部分の下側に配置して、後方へ突出する円筒形状のカッター軸受部１５０が設けられている(図６参照)。また、ベース貼着部１４２には、カッター軸受部１５０の左斜め下側に配置して、後方へ突出するボス状のネジ止め部１５１が設けられている。ここで、ベース貼着部１４２は、上縁部および下縁部が左外壁部６９から左方へ離間するにつれて下方傾斜するように形成されており、ベース貼着部１４２の上縁部とベースカシメ構成部９０の下ベース壁１０７との隙間が、左方に向かうに従い上下に広くなっている。
【００５３】
(カバー貼着部)
図４および図１０(ａ)に示すように、前記カバー貼着部１４４は、カバー部材６４の左周壁部８１から左方へ延出するように形成された板状部分を有し、この板状部分の上下および左の周縁に壁が前方に向けて立ち上がるよう形成された前方に開放した略トレイ形状になっている。カバー貼着部１４４は、カバーカシメ構成部９４の下側に設けられ、該カバーカシメ構成部９４の下カバー壁１２７の下側に離間配置されている。カバー貼着部１４４は、ベース貼着部１４２の外形に合わせてその外形が形成されており、ベース部材６２とカバー部材６４とを組み付けた際に、ベース貼着部１４２およびカバー貼着部１４４の周縁に立ち上がる壁が互いに前後に対向配置される(図６参照)。すなわち、カバー貼着部１４４は、上縁部および下縁部が左周壁部８１から左方へ離間するにつれて下方傾斜するように形成されており、カバー貼着部１４４の上縁部とカバーカシメ構成部９４の下カバー壁１２７との隙間が、左方に向かうに従い上下に広くなっている。カバー貼着部１４４には、板状部分の下側に前記カッター軸受部１５０の後側に対向するように配置して、前方へ突出する円筒形状のカッター押さえ部１５４が設けられている(図６参照)。また、カバー貼着部１４４には、ベース貼着部１４２のネジ止め部１５１の後側に対向する位置に、ネジ通孔１５５が貫通形成され、ベース貼着部１４２とカバー貼着部１４４とを前後に整合させた状態でネジ通孔１５５を介してネジ止め部１５１にネジが締結される。ここで、ネジ通孔１５５は、カバー貼着部１４４において封印シールＳが貼り付けられる部位に設けられ、カバー貼着部１４４に貼り付けた封印シールＳによって隠れるようになっている(図１４(ｂ)参照)。
【００５４】
(部材保持部)
図６および図１０(ａ)に示すように、前記カバー貼着部１４４には、予備となる前記ロック部材１００をベース貼着部１４２と該カバー貼着部１４４との間に収納した状態で保持する部材保持部(保持部)１５６が設けられている。部材保持部１５６は、カバー貼着部１４４に形成されるカッター通過口１５９より上側のスペースを用いて該カバー貼着部１４４の上部に設けられている。部材保持部１５６は、カバー貼着部１４４の板状部分から前方に突出し、その延出端部に外方(上方)へ突出する爪を有する鉤状に形成された部材保持爪１５７を備え、この部材保持爪１５７をロック部材１００のロック係合部１２４に挿通して爪と板状部分との間にロック部材１００を挟んで保持するようになっている(図６参照)。このように、部材保持部１５６は、ロック部材１００においてロック固定部９９との係合に用いられるロック係合部１２４を利用して保持する構成とすることで、該部材保持部１５６の保持構造を簡単にすることができる。なお、ロック部材１００は、その板面をカバー貼着部１４４の板状部分に沿わせた姿勢で保持されており、退避状態においてベース貼着部１４２とカバー貼着部１４４との間に収納されるシールカッター１４８の後側に配置されている。
【００５５】
図７および図１４(ｂ)に示すように、前記ベース貼着部１４２およびカバー貼着部１４４は、左縁部から上縁部にかけて互いの壁を離間させて、退避状態と移動位置との間で変位するシールカッター１４８が通過可能なカッター開口１５８が形成されている。また、ベース貼着部１４２およびカバー貼着部１４４は、下縁部において互いの壁が当接またはほぼ隙間なく対向するようになっている。カバー貼着部１４４には、上下方向の中間部に、シールカッター１４８において後方へ突出形成された第２切断部１６５が挿通されるカッター通過口１５９が切り欠き形成されている。カッター通過口１５９は、シールカッター１４８の退避状態と移動状態との変位に伴う第２切断部１６５の変位経路に合わせて左右方向に延在するよう形成され、実施例では前記カッター軸受部１５０で支持された下端部を支点として回動するシールカッター１４８に合わせて、カッター通過口１５９の上開口縁が円弧状に形成されている。ここで、ベース部材６２とカバー部材６４とは、互いに組み付けた際に、ベース部材６２の左外壁部６９の内側にカバー部材６４の左周壁部８１が重なるように構成されて(図７参照)、例えばカッター開口１５８またはカッター通過口１５９から針金等の不正具を侵入させても左周壁部８１で阻んで前記収納空間３２ａにアクセスできないようになっている。
【００５６】
(シールカッター)
図１６に示すように、前記シールカッター１４８は、板状のカッター本体の下端部(一端部)に設けられたカッター軸部１６２と、カッター本体の上端部(他端部)に設けられ、シールカバー１４６と連係する連係受部１６３と、カッター本体の左縁部に設けられた第１切断部１６４と、カッター本体の上下方向中間部に後方へ突出形成された第２切断部１６５とを備えている。カッター軸部１６２は、前記カッター軸受部１５０の外形に合わせた開口寸法で形成され、前方に突出する円筒形状の軸筒部１６２ａと、この軸筒部１６２ａの内側に前方に突出するように形成された一対の軸爪部１６２ｂ,１６２ｂとから構成されている(図１６(ｂ)参照)。一対の軸爪部１６２ｂ,１６２ｂは、その延出端に互いに相反する外方へ突出する爪を有すると共に、互いに近接するように弾性変形可能に構成されている。カッター軸部１６２は、ベース貼着部１４２のカッター軸受部１５０に対して、該カッター軸受部１５０の開口内に一対の軸爪部１６２ｂ,１６２ｂを嵌め合わせると共に、該カッター軸受部１５０の外周を軸筒部１６２ａで囲うように装着することで、該カッター軸受部１５０に対して回動可能に支持される。そして、ベース部材６２とカバー部材６４とを組み付けた際に、シールカッター１４８のカッター軸部１６２の後側に配置されるカッター押さえ部１５４によって、シールカッター１４８がカッター軸受部１５０から外れないように後方移動が規制される(図６参照)。連係受部１６３は、カッター本体の上縁左部から分岐して左から右方へ向かうにつれてカッター本体から離間するように上方傾斜するよう形成され、シールカバー１４６と連係する部分となる延出端が上方に延出して幅広に形成されている。第１切断部１６４は、カッター本体の左縁の上下の略全体に亘って設けられ、刃先が左方へ向けて形成されている。第２切断部１６５は、カッター本体から第１切断部１６４と交差する方向(後方)に突出するよう設けられ、前後に延在する刃先が左方へ向けて形成されている。なお、シールカッター１４８のカッター本体には、カバー貼着部１４４から前方に突出する部材保持部１５６の部材保持爪１５７に合わせて、右方(退避状態から移動状態への変位方向と反対側)に開放した切り欠き１４８ａが形成され、シールカッター１４８の退避状態において切り欠き１４８ａに部材保持爪１５７が挿入されている。
【００５７】
(シールカッターの退避状態について)
図７および図１４に示すように、前記シールカッター１４８は、前記退避状態において、カッター軸部１６２がカッター軸受部１５０で支持される下端部から上方に延在する姿勢になっており、第１切断部１６４の刃先がベース貼着部１４２とカバー貼着部１４４との間の左側のカッター開口１５８に臨むように配置され、ベース貼着部１４２およびカバー貼着部１４４の左側面を覆う封止シールＳに、第１切断部１６４の刃先が対向配置されている。シールカッター１４８は、前記退避状態において、第２切断部１６５がカバー貼着部１４４のカッター通過口１５９を介して封印シールＳから外れた位置で該カバー貼着部１４４の後方に突出しており、第２切断部１６５の刃先がカバー貼着部１４４の後面を覆う封印シールＳの右縁に対向配置されている。シールカッター１４８は、前記退避状態において、連係受部１６３の延出端がベース貼着部１４２とカバー貼着部１４４との間の上側のカッター開口１５８に配置されており、シールカバー１４６の上壁内面に下方へ突設されて該上側のカッター開口１５８に挿入された連係部１７０と、連係受部１６３とが、ベース貼着部１４２とカバー貼着部１４４との間で係合するように構成されている(図８参照)。
【００５８】
(シールカッターの移動状態について)
図１５に示すように、前記シールカッター１４８は、前記退避状態から移動状態に回動すると、カッター軸部１６２がカッター軸受部１５０で支持された下端部から左斜め上方に延在する姿勢に変化し、第１切断部１６４の刃先が左側のカッター開口１５８を介して両貼着部１４２,１４４の間から次第に外側に突出するようになっている。また、シールカッター１４８は、前記退避状態から移動状態に回動すると、第２切断部１６５の刃先がカッター通過口１５９を介して左方へ変位し、最終的には両貼着部１４２,１４４から左方に外れた位置まで変位するようになっている。更に、シールカッター１４８は、前記退避状態から移動状態に回動すると、連係受部１６３が両貼着部１４２,１４４の間からカッター開口１５８を介して左外側に変位するようになっている。なお、シールカッター１４８は、カッター開口１５８の下側の開口縁に当接することで移動状態に向けた回動変位が規制される。
【００５９】
(シールカバー)
図１７に示すように、前記シールカバー１４６は、右方が開放した箱形状に形成されて、実施例では無色透明であって該シールカバー１４６を介して封止シールＳが視認可能になっている。なお、シールカバー１４６は、右から左方に向かうにつれて下方傾斜する両貼着部１４２,１４４の上縁部および下縁部に対応して、上壁および下壁が右方開口から左方へ離れるにつれて下方傾斜するように形成されている。シールカバー１４６は、後壁の上下方向中央部が該シールカバーの右方開口から左方の所定範囲に亘って後方へ膨らむように形成された膨出部１７１を有している。膨出部１７１は、カバー貼着部１４４から後方に突出するシールカッター１４８の第２切断部１６５に合わせて形成され、両貼着部１４２,１４４を収納するようにシールカバー１４６を取り付けた際に、膨出部１７１に第２切断部１６５が収納されるようになっている(図７参照)。なお、シールカッター１４８は、第２切断部１６５が膨出部１７１に当接することで、退避状態から移動状態に向けた変位が規制される。
【００６０】
(カバー取付部)
図１７に示すように、シールカバー１４６は、下部右側に設けられ、ベース部材６２の左外壁部６９およびカバー部材６４の左周壁部８１の下部に設けられた第１取付受部１７２(図８参照)に係合する第１カバー取付部(第１取付部)１６８と、上縁部左側に設けられ、ベースカシメ構成部９０の下ベース壁１０７およびカバーカシメ構成部９４の下カバー壁１２７に設けられた第２取付受部１７３(図８参照)に係合する第２カバー取付部(第２取付部)１６９とを備えている。第１カバー取付部１６８は、両貼着部１４２,１４４を囲う空間を画成する本体部分の右方開口の下縁に沿って前後方向に延在すると共に下方に延出するように形成されている(図１７参照)。第２カバー取付部１６９は、両貼着部１４２,１４４が収納される本体部分の上壁上面に上方に突出するように形成された突片部分であり、前記第２取付受部１７３に係合させる上端部右面が左から右に向かうにつれて下方傾斜するよう形成される一方で、上端部左面が上下方向に延在するよう形成されている。ここで、シールカバー１４６において、第１カバー取付部１６８がシールカッター１４８の回動中心側に対応する下部に設定され、第２カバー取付部１６９がシールカッター１４８の回動中心と反対側に対応する上部に設定されている。そして、シールカバー１４６は、下部の第１カバー取付部１６８を第１取付受部１７２に嵌め合わせると共に、上部の第２カバー取付部１６９を第２取付受部１７３に嵌め合わせることで、右端面をベース部材６２の左外壁部６９およびカバー部材６４の左周壁部８１に突き当てて該壁部６９,８１により右方開口を塞ぎ、ベース貼着部１４２およびカバー貼着部１４４を内側に収納した状態でベース部材６２およびカバー部材６４に対して取り付けられる(図７および図８参照)。また、シールカバー１４６は、両カバー取付部１６８,１６９を対応の取付受部１７２,１７３に嵌め合わせることで、ベース部材６２およびカバー部材６４に対して分離不能に取り付けられる。すなわち、シールカバー１４６は、ベース部材６２およびカバー部材６４に取り付けると、第２カバー取付部１６９を破壊しなければ取り外すことができないよう構成されている。
【００６１】
(連係部)
図８に示すように、前記シールカバー１４６は、該シールカバー１４６をベース部材６２およびカバー部材６４に取り付けた際に、前記退避状態にあるシールカッター１４８の連係受部１６３に係合し、該シールカバー１４６の取り外しに伴って該シールカッター１４８を退避状態から移動状態に変位させる連係部１７０を備えている。連係部１７０は、シールカバー１４６において両貼着部１４２,１４４を囲う本体部分の上壁内面に設けられ、該上壁から下方へ突出するように形成されている(図１７参照)。また、連係部１７０は、右から左方に向かうにつれて上壁からの突出寸法が大きくなる略三角形状で形成されている。
【００６２】
(取付受部)
図１４に示すように、前記第１取付受部１７２は、ベース貼着部１４２より下側に位置して左外壁部６９の下部に、後方に開放した凹状に切り欠き形成されたベース切欠部分１７２ａと、このベース切欠部分１７２ａの開放端を塞ぐカバー部材６４の左周壁部８１の前端部に、前方に開放した凹状に切り欠き形成されたカバー切欠部分１７２ｂとによって構成されて、下側のスライド溝７２に連通する開口状に形成されている。第２取付受部１７３は、ベースカシメ構成部９０の下ベース壁１０７の後端左右方向中央部に、下方および後方に開放した段状に形成されたベース凹部分１７３ａと、このベース凹部分１７３ａの後方への開放端を塞ぐカバーカシメ構成部９４の下カバー壁１２７の前端面とによって構成されて、下方に開放した凹状に形成されている。このように、第１取付受部１７２および第２取付受部１７３は、ベース部材６２(ベースカシメ構成部９０)とカバー部材６４(カバーカシメ構成部９４)とを組み合わせた際に、ベース部材６２側に設けられた構成部分(ベース切欠部分１７２ａ,ベース凹部分１７３ａ)とカバー部材６４側に設けられた構成部分(カバー切欠部分１７２ｂ,下カバー壁１２７の前端面)とが組み合わさって構成されるようになっている。すなわち、ベース部材６２側に設けられた構成部分(ベース切欠部分１７２ａ,ベース凹部分１７３ａ)またはカバー部材６４側に設けられた構成部分(カバー切欠部分１７２ｂの前端面,下カバー壁１２７の前端面)単体では、該構成部分に合わせた第１カバー取付部１６８および第２カバー取付部１６９を保持することができず、該カバー取付部１６８,１６９を分離可能になっている。すなわち、第１カバー取付部１６８を第１取付受部１７２の一部をなすベース部材６２のベース切欠部分１７２ａに挿入したとしても、カバー部材６４を取り付けないと、該ベース切欠部分１７２ａが後方に開放しているので、ベース切欠部分１７２ａから第１カバー取付部１６８を後側に引き抜くことができる。第１カバー取付部１６８を第１取付受部１７２の一部をなすカバー部材６４のカバー切欠部分１７２ｂに挿入したとしても、ベース部材７２を取り付けないと、該カバー切欠部分１７２ｂが前方に開放しているので、カバー切欠部分１７２ｂから第１カバー取付部１６８を前側に引き抜くことができる。同様に、第２カバー取付部１６９を第２取付受部１７３の一部をなす下ベース壁１０７のベース凹部分１７３ａに挿入したとしても、カバー部材６４を取り付けないと、該ベース凹部分１７３ａが後方に開放しているので、ベース凹部分１７３ａから第２カバー取付部１６９を後側に引き抜くことができる。
【００６３】
(シールカバーとシールカッターの連係構成について)
前記シールカッター１４８は、前述したように、下端部がベース貼着部１４２に回動可能に支持されると共に、上端部に設けられた連係受部１６３が、シールカバー１４６の連係部１７０に引っ掛かり得るよう構成されている(図８参照)。シールカバー１４６は、カバー取付部１６８,１６９を対応の取付受部１７２,１７３に嵌め合わせて両貼着部１４２,１４４を覆うように取り付けた際に、連係部１７０が両貼着部１４２,１４４間の上側のカッター開口１５８から両貼着部１４２,１４４間に挿入されて、シールカッター１４８における連係受部１６３の右側に配置される(図８および図１５参照)。すなわち、シールカバー１４６を両貼着部１４２,１４４から取り外す際に該シールカバー１４６に伴って左方へ変位する連係部１７０の変位方向前側となる右側に、連係受部１６３が配置され、連係部１７０の変位軌跡上にシールカッター１４８の連係受部１６３が位置している。そして、第２カバー取付部１６９を破断して、第１取付受部１７２に係合する第１カバー取付部１６８を支点としてシールカバー１４６を回動して取り外す際に、連係部１７０に連係受部１６３が引っ張られてシールカッター１４８が退避状態から移動状態に向けて回動変位するよう構成されている。
【００６４】
図１５に示すように、シールカバー１４６は、該シールカバー１４６の取り付け状態から取り外し状態に向けた連係部１７０の回動変位軌跡が、シールカッター１４８における連係受部１６３の退避状態から移動状態に向けた回動変位軌跡に対して徐々に離れるように設定されている。従って、シールカバー１４６における取り付け状態から所定範囲の取り外し状態に向けた回動変位に伴って、連係部１７０と連係受部１６３との係合によりシールカッター１４８が退避状態から移動状態に向けて回動変位すると共に、該所定範囲を超えると連係部１７０と連係受部１６３とが係合解除して、シールカバー１４６とシールカッター１４８とが分離するよう構成されている。両貼着部１４２,１４４への取り付け状態にあるシールカバー１４６の連係部１７０と前記退避状態にあるシールカッター１４８の連係受部１６３とは、上下位置がおおよそ揃うように配置されている。基板ケース３２では、取り付け状態から取り外し状態へのシールカバー１４６の回動支点(第１カバー取付部１６８)は、シールカッター１４８の下端部に設定された該シールカッター１４８の回動支点(カッター軸部１５２)よりも下方に設定されており、シールカバー１４６の回動支点から連係部１７０までの距離が、シールカッター１４８の回動支点から連係受部１６３までの距離よりも長くなるように構成されている。これにより、シールカバー１４６を取り付け状態から取り外し状態へ回動した際に連係部１７０がとる回動変位軌跡が、シールカッター１４８を退避状態から移動状態へ回動した際に連係受部１６３がとる回動変位軌跡よりも外側(基板ケース３２の本体部分から遠ざかる左方)に次第にずれるように設定されている。すなわち、シールカバー１４６の連係部１７０とシールカッター１４８の連係受部１６３とは、円弧状の回動変位軌跡の半径方向に延在している互いの当接面の範囲内で、両回動変位軌跡がずれても互いの係合が維持され、該互いの当接面を超えて両回動変位軌跡がずれることで、連係受部１６３から連係部１７０が外れる。
【００６５】
ここで、連係部１７０と連係受部１６３とは、シールカッター１４８の第２切断部１６５が両貼着部１４２,１４４より外方(左方)に出るまで係合を維持するよう構成するのがよく、これにより第１切断部１６４により封印シールＳの上下に亘る大部分を切断し得ると共に、カバー貼着部１４４に貼り付けられた封印シールＳを左右方向に亘って切断し得る。また、連係部１７０と連係受部１６３とは、シールカッター１４８の退避状態から移動状態に向けた回動限界に達する前または同時に、係合を解除するように構成するのがよく、このように構成することで、シールカッター１４８の破損を防止し得る。
【００６６】
(基板ケースの取付け構造について)
前記基板ケース３２の設置部材２２への取付構造について簡単に説明する。基板ケース３２は、ベース部材６２における左外壁部６９の前縁中央部にベース貼着部１４２の前側に位置するように設けられ、設置部材２２の前面に設けた受部(図示せず)に引っ掛ける引っ掛け部１７６(図７参照)と、カバー部材６４における右周壁部８２の上部に設けられ、設置部材２２の前面に設けた位置決めピン(図示せず)が挿通される位置決め孔が形成される位置決め部１７７(図３参照)と、該右周壁部８２の上部に設けられたケース固定部１７８(図３参照)とを備えている。なお、ケース固定部１７８には、取着具１７９が装着されている。そして、基板ケース３２は、設置部材２２の受部に引っ掛け部１７６を引っ掛けると共に、設置部材２２の位置決めピンを位置決め部１７７の位置決め孔に挿入したもとで、ケース固定部１７８に装着されている取着具１７９を設置部材２２に設けた図示しない保持孔に係合することで設置部材２２に着脱可能に組み付けられる。
【００６７】
(実施例の作用)
次に、実施例に係るパチンコ機１０の作用について説明する。
【００６８】
(カシメ手段の組み付けについて)
前記ベース連結部９２におけるベース挿通部９３の前方開口から固定部材９８を挿入し、該固定部材９８における左右の第２固定片部９８ｂ,９８ｂを左右の部材挿通口１１５,１１５に通して、部材固定片１１４により該固定部材９８の第１固定片部９８ａが後方への移動が規制されるまで押し込む。この際に、固定部材９８のロック固定部９９は、該固定部材９８の挿入方向前側から後側に向かうにつれてベース挿通部９３の開口内側に延出するように傾斜しているので、部材固定片１１４との当接により開口外側へ向けて弾性変形して、部材挿通口１１５への挿入が許容される。そして、固定部材９８は、部材挿通口１１５を通ってロック固定部９９が部材固定片１１４の後側に位置すると、ロック固定部９９が、後から前方に向かうにつれてベース挿通部９３の開口内側に延出する元の傾斜姿勢に戻る。すなわち、固定部材９８は、ベース挿通部９３に配設すると、ロック固定部９９が部材固定片１１４に引っ掛かって前方への移動が規制されると共に、第１固定片部９８ａが部材固定片１１４に引っ掛かって後方への移動が規制されることで、前後に開口するベース挿通部９３から抜けないようになっている。また、固定部材９８は、上下の架設片１１２,１１２およびベースロック保持片１１６,１１６の間に第２固定片部９８ｂが挟まれて上下の移動が規制されると共に、縦支持片１１７により支持されて第２固定片部９８ｂのベース挿通部９３の開口外側へ向けた変位が規制される。このように、固定部材９８は、ベース挿通部９３に挿入すると、適切な位置で保持される。
【００６９】
次に、前記ベース連結部９２におけるベース挿通部９３の前方開口から閉塞部材１０２を挿入し、該閉塞部材１０２における上下の閉塞爪部１２１,１２１を上下の閉塞挿通口１１３,１１３に夫々通して、部材固定片１１４により閉塞部材１０２の閉塞本体１２０が後方への移動が規制されるまで押し込む。この際に、閉塞部材１０２における閉塞爪部１２１の延出端の爪片が、ベース連結部９２の上下の筒壁に設けられた爪掛け部１１８に夫々引っ掛かり、閉塞本体１２０でベース連結部９２の前方開口を塞いだ状態で抜け止めされる。このように、閉塞部材１０２がベース連結部９２の前方開口に嵌め殺しされることで、該閉塞部材１０２によってベース挿通部９３に収容された固定部材９８に対して、前方開口を介して外部からアクセスすることを阻むことができ、固定部材９８を取り外すような不正行為を防止し得る。なお、固定部材９８および閉塞部材１０２の組み付けは、ベース部材６２とカバー部材６４とを組み付けた後であっても行うことができる。
【００７０】
前記ベース部材６２と前記カバー部材６４とを組み付けることで、カシメ突片１２９とカシメ開口部１０９との嵌め合いや上および左のベース壁１０６,１０８とカバー壁１２６,１２８との重なりなどによって、ベース連結部９２とカバー連結部９６とが、互いの挿通部９３,９７が連通するように前後に重なり合った状態で位置合わせされる。カバー連結部９６におけるカバー挿通部９７の後方開口からロック部材１００を挿入し、該ロック部材１００のロック係止部１２５がカバー連結部９６のロック規制部１３３によって移動規制されるまで、ロック部材１００を前方移動する。この際に、固定部材９８のロック固定部９９は、後から前に挿入されるロック部材１００に対して、後側から前側に向かうにつれてベース挿通部の開口内側に延出するように傾斜しているので、ロック部材１００との当接により開口外側へ向けて弾性変形して、該ロック部材１００のベース挿通部９３への挿入が許容される。そして、ロック部材１００が挿入位置に到来すると、固定部材９８のロック固定部９９がロック部材１００における開口状のロック係合部１２４に位置して、ロック固定部９９が、ベース挿通部９３の開口内側に延出する元の傾斜姿勢に戻る。すなわち、ロック部材１００は、カバー挿通部９７からベース挿通部９３に跨るように配設すると、ロック部材１００のロック係止部１２５がカバー連結部９６のロック規制部１３３に引っ掛かって挿通位置を越えた前方への移動が規制されると共に、ロック固定部９９がロック係合部１２４に引っ掛かって後方への移動が規制されることで、後方に開口するカバー挿通部９７から抜けないようになっている。
【００７１】
次に、前記カバー挿通部９７の後方開口から蓋部材１０４を挿入し、該蓋部材１０４における蓋爪部１３９および蓋脚部１４０を対応の蓋挿通口１３５に夫々通して、蓋本体１３８がロック部材１００の後端面に当接して前方への移動が規制されるまで押し込む。この際に、蓋部材１０４における蓋爪部１３９の延出端の爪片１３９ａが、カバー連結部９６Ａの左右の筒壁に設けられた蓋掛止部１３６に夫々引っ掛かり、蓋本体１３８でカバー挿通部９７の後方開口を塞いだ状態で抜け止めされる。このように、蓋部材１０４がカバー挿通部９７の後方開口に嵌め殺しされることで、該蓋部材１０４によってカバー挿通部９７およびベース挿通部９３に収容されたロック部材１００に対して、後方開口を介して外部からアクセスすることを阻むことができ、ロック部材１００を取り外すような不正行為を防止し得る。なお、実施例では、蓋部材１０４をカバー連結部９６Ａに取り付けた後に蓋部材１０４とカバー連結部９６Ａとの僅かな隙間から接着剤を両挿通部９３,９７に流し入れて、接着剤によって内部を固着している。
【００７２】
このように構成されたカシメ手段は、ロック部材１００、固定部材９８、閉塞部材１０２および蓋部材１０４を破壊等することなく両連結部９２,９６から取り外すことはできない。また、カシメ手段は、ベース部材６２とカバー部材６４とを左右方向へ相対的にスライド変位しようとしても、金属製で剛性を有するロック部材１００が両連結部９２,９６に引っ掛かることで、ベース部材６２とカバー部材６４との相対的なスライド変位を阻むことができる。更に、カシメ手段は、ベース部材６２とカバー部材６４とを前後方向に分離するように力を加えても、ベース連結部およびカバー連結部の夫々に引っ掛かっているロック部材１００によって、ベース部材６２とカバー部材６４との前後の離間変位を阻むことができる。このように、基板ケース３２は、カシメ手段が構成された状態では、カシメ手段を破壊することなく開封することができず、主制御基板３１を不正なアクセスから適切に保護することができる。しかも、基板ケース３２を開封したとしても、破壊されたカシメ手段が痕跡として残るので、開封の有無を簡単に把握することができる。
【００７３】
実施例のカシメ手段によれば、ロック部材１００をカバー連結部９６側から両挿通部９３,９７に挿入するだけで、ベース連結部９２に配置されたロック固定部９９がロック部材１００のロック係合部１２４に引っ掛かると共にカバー連結部９６のロック規制部１３３がロック部材１００のロック係止部１２５に引っ掛かって、ベース連結部９２およびカバー連結部９６がロック部材によって分離不能に保持される。このように、ロック部材１００による両連結部９２,９６の連結作業に、工具を要さず、両挿通部９３,９７に挿入するだけで極めて簡単に行うことができるから、手間を軽減し得る。また、前記カシメ手段は、閉塞部材１０２および蓋部材１０４についても、対応の挿通部９３,９７に押し込むだけで爪嵌合により取り付けられる構成であるから、閉塞部材１０２および蓋部材１０４の取り付けに工具を要さずに極めて簡単に行うことができ、カシメ手段の組み付け作業にかかる手間をより軽減することができる。すなわち、両連結部９２,９６を分離不能に保持するロック部材１００による基板ケース３２の不正開放を防止するカシメ手段を有していても、基板ケース３２の組み立て作業を簡単にすることができる。
【００７４】
前記カシメ手段は、ロック部材１００が収容される両挿通部９３,９４が、ベース連結部９２に嵌め合わせられた閉塞部材１０２と、カバー連結部９６Ａに嵌め合わせられた蓋部材１０４とによって塞がれているので、閉塞部材１０２および蓋部材１０４により外方からロック部材１００へのアクセスを防ぎ、基板ケース３２の不正開放をより確実に防止することができる。しかも、カシメ手段は、固定部材９８、ロック部材１００、閉塞部材１０２および蓋部材１０４が、ネジなどの締結具を用いずに、部材同士の引っ掛かりや部材間での挟持等によって連結部９２,９６に取り付けられる構成であるから、締結具を締結するためのボスや孔を必要とせず、全体としてコンパクトにすることができる。
【００７５】
(シールカバーの取り付け構造について)
前記シールカバー１４６を取り付ける際には、第１カバー取付部１６８を第１取付受部１７２に挿入して該第１カバー取付部１６８を該第１取付受部１７２の開口縁に引っ掛けたもとで、第１カバー取付部１６８を支点としてシールカバー１４６を上方へ回動する。シールカバー１４６は、第１取付受部１７２に引っ掛けた第１カバー取付部１６８を支点として回動することで、第２カバー取付部１６９が第２取付受部１７３にずれなく整合し、該第２カバー取付部１６９を第２取付受部１７３に押し込むことで、ベース貼着部１４２およびカバー貼着部１４４を覆った状態でシールカバー１４６がベース部材６２およびカバー部材６４に対して取り付けられる。ここで、第２カバー取付部１６９は、第２取付受部１７３に押し込む際に下ベース壁１０７に当接する右面が傾斜しているので、該第２カバー取付部１６９の第２取付受部１７３への円滑な嵌め込みが許容される。第２カバー取付部１６９は、上下および左面が前後方向に延在しているので、第２取付受部１７３を画成する壁に引っ掛かって抜け止めされる。このように、シールカバー１４６は、ベース部材６２およびカバー部材６４に対して取り付けると、取付受部１７２,１７３を画成する壁にカバー取付部１６８,１６９が引っ掛かって、該カバー取付部１６８,１６９等を破壊することなくシールカバーを取り外すことができない。すなわち、シールカバー１４６を取り外して封印シールＳや主制御基板３１にアクセスを図るような不正行為を阻むことができる。しかも、カバー取付部１６８,１６９等を破壊しなければシールカバー１４６を取り外すことができないので、取り外したシールカバー１４６を再利用するような不正行為も阻むことができる。
【００７６】
前記シールカバー１４６の取り付けに際して、第１取付受部１７２に引っ掛けた第１カバー取付部１６８を支点として回動すると、シールカバー１４６の連係部１７０の回動変位軌跡上に、退避状態にあるシールカッター１４８の連係受部１６３が交差する関係にある。シールカバー１４６の取り付け時の連係部の進行方向前側となる右側面が傾斜すると共に、シールカッター１４８の連結受部１６３がカッター本体から分岐して該カッター本体に対して近接するように弾性変形が可能となっているので、シールカバー１４６の取り付けに際して連係部１７０が連係受部１６３を無理なく乗り越えて、該連係受部１６３の右側に配置される。すなわち、当該構成によれば、シールカバー１４６の取り付けに際して、シールカバー１４６の連係部１７０およびシールカッター１４８の連係受部１６３の破損を防止できる。
【００７７】
前記基板ケース３２は、シールカバー１４６の内側に連係部１７０を設け、取り付け状態にあるシールカバー１４６の連係部１７０と退避状態にあるシールカッター１４８の連係受部１６３とが、ベース貼着部１４２とカバー貼着部１４４との間で係合する構成であるので、両貼着部１４２,１４４およびシールカバー１４６によって連係部１７０と連係受部１６３との係合部分へのアクセスを阻むことができる。すなわち、シールカバー１４６を取り外す前に、シールカバー１４６の連結部とシールカッター１４８の連係受部１６３との係合を解除する操作をシールカバー１４６の外部から行い、封印シールＳをシールカッター１４８で切断しないようにシールカバー１４６を取り外すような不正行為を防止することができる。
【００７８】
(シールカバーとシールカッターの連係構造について)
前記シールカバー１４６を取り外す際には、第２カバー取付部１６９を切断工具で破壊して、第１取付受部１７２に引っ掛けた第１カバー取付部１６８を支点として、シールカバー１４６を左方へ回動する。シールカバー１４６の回動変位に伴い左方へ変位する連係部１７０に連係受部１６３が押されることで、シールカッター１４８が下部のカッター軸部１６２を回動支点として左方へ回動変位して、退避状態から移動状態に変位するシールカッター１４８の第１切断部１６４がカッター開口１５８から外方へ突き出ることで、カッター開口１５８を覆っていた封印シールＳを上下に切断する。また、シールカッター１４８の第２切断部１６５についても、封印シールＳにおけるカバー貼着部１４４の後面に貼り付けられた部位を右から左に切断する。このように、シールカバー１４６の連係部１７０とシールカッター１４８の連係受部１６３との係合により、シールカバー１４６の取り外しに連動してシールカッター１４８が両貼着部１４２,１４４の間に収納された退避状態から、両貼着部１４２,１４４よりも突き出る移動状態に変位して封印シールＳを切断するので、封印シールＳを再利用する不正行為を防止することができる。
【００７９】
このように、シールカッター１４８は、その下端部がベース貼着部１４２に対して回動可能に接続されて、ベース貼着部１４２およびカバー貼着部１４４に対して退避状態と移動状態との間で回動変位する構成であり、シールカバー１４６の取り外しに連動してシールカッター１４８が退避状態から移動状態に変位しても、ベース貼着部１４２に下端部が接続されたままにある。すなわち、シールカッター１４８は、シールカバー１４６の取り外しに連動して封印シールＳを切断するように変位するものの、ベース貼着部１４２に下端部が接続されて該ベース貼着部１４２から分離しないので、シールカバー１４６を取り外した際にシールカッター１４８が落下したり、紛失すること等を回避できる。しかも、シールカッター１４８は、ベース貼着部１４２との接続部分であるカッター軸受部１５０を基準(支点)として変位するので、シールカバー１４６の取り外しのぶれなどの変動の影響を受け難く、シールカッター１４８を所定の変位軌跡で安定して変位させることができる。すなわち、シールカッター１４８がカッター開口１５８やカッター通過口１５９の開口縁に干渉して、連係部１７０と連係受部１６３との係合状態が解除するなどの連動不具合を防止でき、シールカバー１４６の取り外しに際して封印シールＳをより確実に切断することができる。そして、シールカッター１４８を再利用する際には、該シールカッター１４８の下端部を支点として移動状態から退避状態に戻すだけで退避状態で両貼着部１４２,１４４の間に適切に配置することができる。すなわち、シールカッター１４８は、ベース貼着部１４２との接続部分であるカッター軸受部１５０を基準(支点)として変位する構成であるから、退避状態での位置合わせの手間がかからず、退避状態で位置合わせするための構成も省略することもできる。また、シールカッター１４８をベース貼着部１４２とカバー貼着部１４４との間に収容された退避状態に戻すために、基板ケース３２を開封する必要もない。このように、実施例の基板ケース３２によれば、シールカッター１４８を簡単に再利用できる。
【００８０】
前記シールカバー１４６は、該シールカバー１４６の取り付け状態から取り外し状態に向けた前記連係部１７０の回動変位軌跡が、シールカッター１４８における連係受部１６３の退避状態から移動状態に向けた回動変位軌跡に対して徐々に離れるように設定されている。すなわち、シールカバー１４６における取り付け状態から取り外し状態に向けた回動変位において、連係部１７０と連係受部１６３とが係合する所定範囲に亘ってシールカッター１４８をシールカバー１４６に連動させて退避状態から移動状態に向けて回動変位させることができる。そして、シールカバー１４６における取り付け状態から取り外し状態に向けた回動変位において、連係部１７０と連係受部１６３とが係合する前記所定範囲を超えると、連係受部１６３よりも連係部１７０が半径方向外側に外れることで連係部１７０と連係受部１６３とが自然に係合解除することになる。従って、シールカバー１４６を大きく回動変位すると、両貼着部１４２,１４４から突き出て封印シールＳを切断したシールカッター１４８を、手作業でシールカバー１４６の内側から取り外す必要はなく、シールカバー１４６の取り外し動作に連動して該シールカバー１４６から分離させることができる。このように、シールカバー１４６とシールカッター１４８の回動変位軌跡の差によって、シールカバー１４６を取り外した際に封印シールＳを切断したシールカッター１４８がシールカバー１４６から分離するので、シールカッター１４８を再利用する際にシールカバー１４６から取り外す手間がかからない。
【００８１】
前記シールカバー１４６のカバー取付部１６８,１６９が嵌め込まれる第１取付受部１７２および第２取付受部１７３は、ベース部材６２(ベースカシメ構成部９０)とカバー部材６４(カバーカシメ構成部９４)とを組み合わせた際に、ベース部材６２側に設けられた構成部分(ベース切欠部分１７２ａ,ベース凹部分１７３ａ)とカバー部材６４側に設けられた構成部分(カバー切欠部分１７２ｂ,下カバー壁１２７の前端面)とが組み合わさって構成される。すなわち、ベース部材６２とカバー部材６４とを組み合わせなければ取付受部１７２,１７３が完成しないので、ベース部材６２やカバー部材６４における取付受部１７２,１７３の構成部分単体にシールカバー１６２を誤って取り付けた場合であっても、シールカバー１６２を取り外すことができる。
【００８２】
前記カシメ手段は、ベース連結部９２およびカバー連結部９６からなるカシメ組を２組備えており、カシメ状態にあるカシメ組を、連結支持片１１０,１３０および接続片１２２で破断して取り外すことで、主制御基板３１のメンテナンスなどの適正な理由により基板ケース３２を開封した後に、残ったカシメ組を用いてベース部材６２およびカバー部材６４を分離不能に連結することがある。このために、基板ケース３２は、予備のロック部材１００を備えており、この予備のロック部材１００がカバー貼着部１４４に設けられた部材保持部１５６で保持されて、ベース貼着部１４２およびカバー貼着部１４４の間に収納されている。このように、予備のロック部材１００は、前記カシメ手段により分離不能に構成されたベース部材６２のベース貼着部１４２とカバー部材６４のカバー貼着部１４４との間に収容されると共に、両貼着部１４２,１４４を覆ってベース部材６２およびカバー部材６４に対して分離不能に取り付けられたシールカバー１４６の内側に封入されているので、予備のロック部材１００を取り外して、不正改造に用いるような不正行為を防止できる。また、仮にシールカバー１４６を取り外したとしても、基板ケース３２を開封しなければ予備のロック部材１００にアクセスすることができないので、不正行為をためらわせることができる。
【００８３】
(変更例)
なお、遊技機の構成としては、前述した実施例に示したものに限らず、以下を含む種々の変更が可能である。
(１)実施例では、主制御基板を収納する基板ケースを例に挙げたが、基板ケースに収納する基板としては、統括制御基板や払出制御基板等、遊技店にとって不正に交換または改造されることで不利益をこうむる制御を司る基板であればよい。
(２)実施例では、パチンコ球を遊技媒体として遊技が行われるパチンコ機を例示して説明したが、これに限られるものではなく、アレンジボール機やピンボール機、スロットマシン機(回胴式遊技機)等の各種遊技機を採用し得る。
(３)ベース部材(第１部材)とカバー部材(第２部材)との前後関係は、実施例と逆であってもよい。
【００８４】
(４)基板ケースにおいて、カシメ構成部の位置は左縁部に限らず、右縁部または上下の縁部であってもよい。
(５)ベース連結部(第１連結部)およびカバー連結部(第２連結部)からなるカシメ組数は、２組に限られず、１組または３組以上であってもよい。また、複数のカシメ組を備える場合は、左右方向に並べるのではなく、上下方向にカシメ組を並べてもよい。
(６)実施例では、ベース連結部(第１連結部)のベース挿通部(第１挿通部)に配設した固定部材にロック固定部(固定部)を設けたが、ベース連結部におけるベース挿通部を画成する壁面に爪状片を形成するなど、ロック固定部をベース連結部と一体的に形成してもよい。
(７)実施例では、ベース連結部(第１連結部)のベース挿通部(第１挿通部)を両側に開口するように形成したが、カバー連結部(第２連結部)側だけが開口して、反対側が閉じた構成であってもよい。
(８)蓋部材は、蓋脚部を設けず、全てが蓋爪部(爪部)であってもよい。
(９)予備のロック部材を保持する部材保持部(保持部)は、ベース貼着部(第１貼着部)ではなく、カバー貼着部(第２貼着部)に設けてもよい。また、部材保持部は、１箇所に限られず、例えばベース貼着部およびカバー貼着部の夫々に設けるなど、２箇所以上備えていてもよい。
(１０)シールカバーのカバー取付部(取付部)が嵌まる取付受部は、ベース部材(第１部材)側だけあるいはカバー部材(第２部材)側だけで構成してよい。
【００８５】
(１１)シールカッターは、ベース貼着部(第１貼着部)ではなくカバー貼着部(第２貼着部)に接続する構成であってよい。
(１２)シールカッターは、両貼着部に跨って貼り付けられた封印シールから退避して両貼着部の間に収納された退避状態と、両貼着部の間から外方へ突き出た移動状態との間で変位し得る構成であれば、一端部が軸支される構成に限られず、貼着部の一方にレールや溝などを介してスライド可能に接続されて、シールカバーの取り外しに連動してスライド変位する構成であってもよい。
(１３)第１切断部および第２切断部の一方は、省略してもよい。また、第１切断部および第２切断部に加えてあるいは代えて、第２切断部と反対側の面から該反対方向に突出する別の切断部を備えていてもよい。
【００８６】
また、本願には次の様な技術的思想が含まれている。
(Ａ)  第１部材(62)と第２部材(64)とを組み合わせて箱状に構成され、基板(31)を内部に収納する遊技機の基板ケースにおいて、
前記第１部材(62)の外縁部に設けられ、少なくとも一方に開口する第１挿通部(93)を内側に画成した第１連結部(92)と、
前記第２部材(64)の外縁部に設けられると共に両側に開口する第２挿通部(97)を内側に画成し、前記第１部材(62)と該第２部材(64)とを組み合わせた際に前記第１連結部(92)と重なる第２連結部(96)と、
前記第１部材(62)と前記第２部材(64)とを組み合わせた際に連通する前記第１挿通部(93)および前記第２挿通部(97)に、前記第２連結部(96)側から挿入されるロック部材(100)と、
前記第１連結部(92)に設けられ、前記第２連結部(96)側からの前記ロック部材(100)の第１挿通部(93)への挿入を許容する一方で、該ロック部材(100)に形成された係合部(124)に引っ掛かることで該ロック部材(100)の第２連結部(96)側への移動を規制する固定部(99)と、
前記第２連結部(96)に設けられ、前記ロック部材(100)が前記第２挿通部(97)から前記第１挿通部(93)に跨って配置されて前記固定部(99)に前記係合部(124)が引っ掛かる挿入位置において、該ロック部材(100)に形成された係止部(125)を係止して、該挿入位置を越えた第１連結部(92)側への該ロック部材(100)の移動を規制する規制部(133)とを備え、
前記ロック部材(100)には、前記第１挿通部(93)および前記第２挿通部(97)への挿入方向と交差する方向に開口するよう前記係合部(124)が形成され、
前記固定部(99)は、前記ロック部材(100)の挿入位置において当該ロック部材(100)を挟む両側に位置すると共に、前記第１挿通部(93)において前記ロック部材(100)の挿入側開口部から挿入奥側に向かうにつれて当該第１挿通部(93)の開口中心側に延出する傾斜状に形成されて、
前記ロック部材(100)を挿入位置に挿入した状態で、前記係合部(124)の開口内側に前記固定部(99)が位置することで、当該係合部(124)に固定部(99)が引っ掛かるよう構成され、
両挿通部(93,97)に挿入された前記ロック部材(100)により、両連結部(92,96)を分離不能に連結するよう構成したことを要旨とする。
この構成によれば、ロック部材を第２連結部側から両挿通部に挿入するだけで、第１連結部の固定部がロック部材の係合部に引っ掛かると共に第２連結部の規制部がロック部材の係止部に引っ掛かって、第１連結部および第２連結部がロック部材によって分離不能に保持される。このように、ロック部材による両連結部の連結作業に、工具を要さず、両挿通部に挿入するだけで極めて簡単に行うことができるから、手間を軽減し得る。すなわち、両連結部を分離不能に保持するロック部材による基板ケースの不正開放を防止する構成を有していても、基板ケースの組み立て作業を簡単にすることができる。
(Ｂ)  前記第１部材(62)の外縁部に設けられた第１貼着部(142)と、
前記第２部材(64)の外縁部に設けられ、前記第１部材(62)と該第２部材(64)とを組み合わせた際に前記第１貼着部(142)と重なる第２貼着部(144)と、
前記第１貼着部(142)および前記第２貼着部(144)に跨るように貼り付けられる封印シール(S)を覆うように、該第１貼着部(142)および該第２貼着部(144)を囲って取り付けられるシールカバー(146)と、
前記第１貼着部(142)または前記第２貼着部(144)に変位可能に接続され、両貼着部(142,144)の間に収容されて刃先が前記封印シール(S)から退避した退避状態と、両貼着部(142,144)の間から外方に突出する移動状態との間で、刃先が該封印シール(S)と交差するように変位するシールカッター(148)と、
前記シールカバー(146)に設けられ、該シールカバー(146)を取り付けた際に前記退避状態にある前記シールカッター(148)の連係受部(163)に係合し、該シールカバー(146)の取り外しに伴って該シールカッター(148)を退避状態から移動状態に変位させる連係部(170)とを備え、
前記シールカッター(148)は、一端部が前記第１貼着部(142)または前記第２貼着部(144)に回動可能に支持されると共に、他端部に設けられた前記連係受部(163)が、両部材(62,64)に取り付けられた前記シールカバー(146)の前記連係部(170)に引っ掛かり得るよう配置され、
前記シールカバー(146)は、前記シールカッター(148)の回動中心側に対応する一端部が、第１部材(62)および第２部材(64)の少なくとも一方に回動可能に支持され、
前記シールカバー(146)は、前記一端部を支点とする該シールカバー(146)の取り付け状態から取り外し状態に向けた回動変位に伴う前記連係部(170)の回動変位軌跡が、前記シールカッター(148)における前記連係受部(163)の退避状態から移動状態に向けた回動変位軌跡に対して徐々に離れるように設定され、
前記シールカバー(146)における取り付け状態から所定範囲の取り外し状態に向けた回動変位に伴って、前記連係部(170)と前記連係受部(163)との係合により前記シールカッター(148)が退避状態から移動状態に向けて回動変位すると共に、該所定範囲を超えると連係部(170)と連係受部(163)とが係合解除して、シールカバー(146)とシールカッター(148)とが分離するよう構成されたことを要旨とする。
この構成よれば、シールカッターはその一端部が回動可能に接続されて、第１貼着部または第２貼着部に対して退避状態と移動状態との間で回動変位する構成であり、シールカバーの取り外しに連動してシールカッターが退避状態から移動状態に変位しても、両貼着部の何れかに一端部が接続されたままにある。すなわち、シールカッターを再利用する際には、該シールカッターの一端部を支点として移動状態から退避状態に戻すだけで退避状態で両貼着部の間に適切に配置することができる。
また、シールカバーとシールカッターの回動変位軌跡の差によって、シールカバーを取り外した際に封印シールを切断したシールカッターがシールカバーから分離するので、シールカッターを再利用する際にシールカバーから取り外す手間がかからない。
【００８７】
(Ｃ)  前記第１連結部(92)に設けられ、前記第１挿通部(93)における前記ロック部材(100)が挿入される側と反対側を塞ぐ閉塞部(102)と、
前記第２挿通部(97)に嵌め込んで、前記第１挿通部(93)および該第２挿通部(97)に挿入された前記ロック部材(100)を覆うように該第２挿通部(97)を塞ぐ蓋部材(104)を有し、
前記蓋部材(104)は、
前記第２挿通部(97)の開口形状に合わせた外形で形成された蓋本体(138)と、
前記蓋本体(138)の外縁から延出するよう形成され、前記第２挿通部(97)の壁面に形成された掛止部(136)に引っ掛かって、該蓋部材(104)の該第２挿通部(97)から抜ける方向の移動を規制する爪部(139)とを備えたことを要旨とする。
この構成によれば、ロック部材が収容される両挿通部は、第１連結部の閉塞部と、第２連結部の第２挿通部に嵌め合わせた蓋部材とによって塞がれているので、外方からロック部材へのアクセスを防ぎ、基板ケースの不正開放をより確実に防止することができる。
(Ｄ)  前記第１部材(62)の外縁部に設けられた第１貼着部(142)と、
前記第２部材(64)の外縁部に設けられ、前記第１部材(62)と該第２部材(64)とを組み合わせた際に前記第１貼着部(142)と重なる第２貼着部(144)と、
前記第１貼着部(142)および前記第２貼着部(144)に跨るように貼り付けられる封印シール(S)を覆うように、該第１貼着部(142)および該第２貼着部(144)を囲って取り付けられるシールカバー(146)と、
前記第１貼着部(142)または前記第２貼着部(144)に設けられ、予備となる前記ロック部材(100)を第１貼着部(142)と第２貼着部(144)との間に収納した状態で保持する保持部(156)とを備え、
前記シールカバー(146)は、該シールカバー(146)に設けられた複数の取付部(168,169)を、前記第１部材(62)および前記第２部材(64)の少なくとも一方に設けられた対応の取付受部(172,173)に嵌め合わせて、第１部材(62)および第２部材(64)に対して分離不能に取り付けられることを要旨とする。
この構成によれば、第１部材および第２部材に対して分離不能に取り付けられたシールカバーの内側に、予備のロック部材が封入されているので、予備のロック部材を取り外して、不正改造に用いるような不正行為を防止できる。
(Ｅ)  前記第１部材(62)と前記第２部材(64)とを組み合わせた際に、該第１部材(62)に設けられた構成部分(172a,173a)と該第２部材(64)に設けられた構成部分(172b,127)とが組み合わさって構成される前記取付受部(172,173)を有し、
前記構成部分(127,172a,172b,173a)単体では、該構成部分(127,172a,172b,173a)に合わせた前記取付部(168,169)を分離可能に構成したことを要旨とする。
この構成によれば、第１部材と第２部材とを組み合わせなければ取付受部が完成しないので、第１部材や第２部材の単体にシールカバーを誤って取り付けた場合であっても、シールカバーを取り外すことができる。
【符号の説明】
【００８８】
３１ 主制御基板(基板)
６２ ベース部材(第１部材)
６４ カバー部材(第２部材)
９２ ベース連結部(第１連結部)
９３ ベース挿通部(第１挿通部)
９６,９６Ａ,９６Ｂ カバー連結部(第２連結部)
９７ カバー挿通部(第２挿通部)
９９ ロック固定部(固定部)
１００ ロック部材
１０２ 閉塞部材(閉塞部)
１０４ 蓋部材
１２４ ロック係合部(係合部)
１２５ ロック係止部(係止部)
１２７ 下カバー壁(構成部分)
１３３ ロック規制部(規制部)
１３８ 蓋本体
１３６ 蓋掛止部(掛止部)
１３９ 蓋爪部(爪部)
１４２ ベース貼着部(第１貼着部)
１４４ カバー貼着部(第２貼着部)
１４６ シールカバー
１５６ 部材保持部(保持部)
１６８ 第１カバー取付部(取付部)
１６９ 第２カバー取付部(取付部)
１７２ 第１取付受部(取付受部)
１７２ａ ベース切欠部分(構成部分)
１７２ｂ カバー切欠部分(構成部分)
１７３ 第２取付受部(取付受部)
１７３ａ ベース凹部分(構成部分)
Ｓ 封印シール
【図１】
2018057957.tif 000003
【図２】
2018057957.tif 000004
【図３】
2018057957.tif 000005
【図４】
2018057957.tif 000006
【図５】
2018057957.tif 000007
【図６】
2018057957.tif 000008
【図７】
2018057957.tif 000009
【図８】
2018057957.tif 000010
【図９】
2018057957.tif 000011
【図１０】
2018057957.tif 000012
【図１１】
2018057957.tif 000013
【図１２】
2018057957.tif 000014
【図１３】
2018057957.tif 000015
【図１４】
2018057957.tif 000016
【図１５】
2018057957.tif 000017
【図１６】
2018057957.tif 000018
【図１７】
2018057957.tif 000019